(57)【要約】【課題】  放送される番組映像や番組音声のうちユーザが所望する部分の番組映像や番組音声を容易に記録し得る記録装置を提案する。【解決手段】  受信中の放送信号の内容を示すナウオンエア情報を定期的に取得し、このナウオンエア情報からキーワードが検出されると、放送信号を記録していくようにしたことにより、放送信号として受信している番組の番組映像や番組音声が、ユーザの所望する番組映像や番組音声である場合に、その番組映像や番組音声を記録することができ、かくして放送される番組映像や番組音声のうちユーザが所望する部分の番組映像や番組音声を容易に記録することができる。【選択図】          図２５
2005332475.tif 000002
【特許請求の範囲】
【請求項１】
キーワードを設定する設定手段と、
放送局から送信される放送信号を受信する放送信号受信手段と、
上記放送信号受信手段により受信された放送信号を、放送データとして記録媒体に一時的に仮記録する記録手段と、
受信中の上記放送信号の内容を示す放送情報を要求するための要求情報を外部装置に定期的に送信し、当該要求情報に応じて上記外部装置から送信された放送情報を受信する通信手段と、
上記通信手段により受信された上記放送情報に上記キーワードが含まれているかどうかを検出する検出手段と、
上記検出手段により上記放送情報に上記キーワードが含まれていると検出されると、上記記録媒体に仮記録した放送データの一部を先頭データとして、当該放送データを上記記録媒体に本記録していくように上記記録手段を制御する制御手段と
を具えることを特徴とする記録装置。
【請求項２】
上記制御手段は、
上記放送データの本記録中に、上記通信手段により受信された上記放送情報に上記キーワードが含まれていないことを上記検出手段が検出すると、上記放送データの本記録を停止する
ことを特徴とする請求項１に記載の記録装置。
【請求項３】
現在時刻を出力するタイマーと、
放送局名、番組名、番組開始時刻及び番組終了時刻を含む番組表データを外部装置から取得する取得手段とを具え、
上記設定手段は、
上記キーワードに加えて放送局名及び番組名を設定し、
上記放送信号受信手段は、
上記設定された放送局名及び番組名に基づき、上記番組表データから当該番組名の番組開始時刻及び番組終了時刻を検索し、上記タイマーの出力が当該番組開始時刻と一致すると、上記設定された放送局名の放送局を選局する
ことを特徴とする請求項１に記載の記録装置。
【請求項４】
上記記録手段は、
上記設定手段によりキーワードが設定されると、上記放送データの上記記録媒体への上記仮記録を開始する
ことを特徴とする請求項１に記載の記録装置。
【請求項５】
現在時刻を出力するタイマーを具え、
上記制御手段は、
上記検出手段により上記放送情報に上記キーワードが含まれていると検出されると、当該放送情報に含まれているコンテンツの放送開始時刻と上記タイマーから出力される現在時刻とに基づき、上記記録媒体に仮記録した放送データにおける上記先頭データの先頭位置を特定する
ことを特徴とする請求項１に記載の記録装置。
【請求項６】
上記制御手段は、
上記放送情報に含まれているコンテンツの放送終了時刻と上記タイマーから出力される現在時刻とが一致すると、上記記録手段による上記放送データの上記記録媒体への本記録を停止する
ことを特徴とする請求項５に記載の記録装置。
【請求項７】
キーワードを設定する設定ステップと、
放送局から送信される放送信号を受信する放送信号受信ステップと、
上記放送信号受信ステップで受信した放送信号を、放送データとして記録媒体に一時的に仮記録する仮記録ステップと、
受信中の上記放送信号の内容を示す放送情報を要求するための要求情報を外部装置に定期的に送信し、当該要求情報に応じて上記外部装置から送信された放送情報を受信する通信ステップと、
上記通信ステップで受信した上記放送情報に上記キーワードが含まれているかどうかを検出する検出ステップと、
上記検出ステップで上記放送情報に上記キーワードが含まれていると検出すると、上記記録媒体に仮記録した放送データの一部を先頭データとして、当該放送データを上記記録媒体に本記録していく本記録ステップと
を具えることを特徴とする記録方法。
【請求項８】
上記本記録ステップでは、
上記放送データの本記録中に、上記通信ステップで受信した上記放送情報に上記キーワードが含まれていないことを上記検出ステップで検出すると、上記放送データの本記録を停止する
ことを特徴とする請求項７に記載の記録方法。
【請求項９】
現在時刻をタイマーから取得する時刻取得ステップと、
放送局名、番組名、番組開始時刻及び番組終了時刻を含む番組表データを外部装置から取得する取得ステップとを具え、
上記設定ステップでは、
上記キーワードに加えて放送局名及び番組名を設定し、
上記放送信号受信ステップでは、
上記設定された放送局名及び番組名に基づき、上記番組表データから当該番組名の番組開始時刻及び番組終了時刻を検索し、上記タイマーから取得した現在時刻が当該番組開始時刻と一致すると、上記設定された放送局名の放送局を選局する
ことを特徴とする請求項７に記載の記録方法。
【請求項１０】
上記仮記録ステップでは、
上記設定ステップでキーワードが設定されると、上記放送データの上記記録媒体への上記仮記録を開始する
ことを特徴とする請求項７に記載の記録方法。
【請求項１１】
現在時刻をタイマーから取得する時刻取得ステップを具え、
上記本記録ステップでは、
上記検出ステップで上記放送情報に上記キーワードが含まれていると検出すると、当該放送情報に含まれているコンテンツの放送開始時刻と上記タイマーから取得した現在時刻とに基づき、上記記録媒体に仮記録した放送データにおける上記先頭データの先頭位置を特定する
ことを特徴とする請求項７に記載の記録方法。
【請求項１２】
上記本記録ステップでは、
上記放送情報に含まれているコンテンツの放送終了時刻と上記タイマーから取得した現在時刻とが一致すると、上記放送データの上記記録媒体への本記録を停止する
ことを特徴とする請求項１１に記載の記録方法。
【請求項１３】
情報処理装置に対して、
キーワードを設定する設定ステップと、
放送局から送信される放送信号を受信する放送信号受信ステップと、
上記放送信号受信ステップで受信した放送信号を、放送データとして記録媒体に一時的に仮記録する仮記録ステップと、
受信中の上記放送信号の内容を示す放送情報を要求するための要求情報を外部装置に定期的に送信し、当該要求情報に応じて上記外部装置から送信された放送情報を受信する通信ステップと、
上記通信ステップで受信した上記放送情報に上記キーワードが含まれているかどうかを検出する検出ステップと、
上記検出ステップで上記放送情報に上記キーワードが含まれていると検出すると、上記記録媒体に仮記録した放送データの一部を先頭データとして、当該放送データを上記記録媒体に本記録していく本記録ステップと
を実行させることを特徴とする記録プログラム。
【発明の詳細な説明】
【技術分野】
【０００１】
本発明は記録装置に関し、例えばラジオ番組の番組音声を録音する録音装置に適用して好適なものである。
【背景技術】
【０００２】
近年、記録装置としてラジオ番組の番組音声を録音する録音装置や、テレビジョン番組の番組映像を録画する録画装置が広く普及している。
【０００３】
かかる録音装置としては、ユーザに放送局及び時刻を指定させ、その時刻に指定された放送局を選局して、当該放送局で放送されるラジオ番組の番組音声を録音するものがある。
【０００４】
一方、かかる録画装置としては、ユーザにテレビジョン番組を特定するためのキーワードを入力させると共に、テレビジョン番組の番組タイトルや出演者名、チャンネル、放送時刻等を含む情報（以下、これをテレビジョン番組情報とも呼ぶ）を外部サーバから取得し、このキーワード及びテレビジョン番組情報をもとに、所望のテレビジョン番組のチャンネル及び放送時刻を認識してこの番組映像を録画するものがある（例えば特許文献１参照）。
【特許文献１】特開平３−３５４５１号公報
【発明の開示】
【発明が解決しようとする課題】
【０００５】
ところで、テレビジョン放送においては、録画装置がテレビジョン番組の番組映像を録画するための情報として、上述のようなテレビジョン番組情報が外部サーバから提供されているが、ラジオ放送においては、録音装置がラジオ番組の番組音声を録音するための情報が提供されていない。
【０００６】
従ってユーザは、新聞や雑誌に掲載されたラジオ番組表等を参照することにより、所望のラジオ番組を放送する放送局及び放送時刻を確認し、これを録音装置に設定して所望のラジオ番組の番組音声を録音するしかなかった。
【０００７】
さらにラジオ番組内で流される楽曲のみを録音しようとする場合には、そのラジオ番組を聞きながら、所望の楽曲が流れたタイミングで録音装置に対して録音操作を行う必要があった。
【０００８】
同様に録画装置においても、テレビジョン番組単位でしか自動録画することができないため、当該テレビジョン番組内の所望部分のみを録画するためには、ユーザが手動で録画操作を行う必要があった。
【０００９】
このように従来の記録装置においては、放送される番組映像や番組音声のうちユーザが所望する部分の番組映像や番組音声を容易に記録することができない問題があった。
【００１０】
本発明は以上の点を考慮してなされたもので、放送される番組映像や番組音声のうちユーザが所望する部分の番組映像や番組音声を容易に記録し得る記録装置、記録方法及び記録プログラムを提案しようとするものである。
【課題を解決するための手段】
【００１１】
かかる課題を解決するため本発明の記録装置においては、キーワードを設定する設定手段と、放送局から送信される放送信号を受信する放送信号受信手段と、放送信号受信手段により受信された放送信号を、放送データとして記録媒体に一時的に仮記録する記録手段と、受信中の放送信号の内容を示す放送情報を要求するための要求情報を外部装置に定期的に送信し、当該要求情報に応じて外部装置から送信された放送情報を受信する通信手段と、通信手段により受信された放送情報にキーワードが含まれているかどうかを検出する検出手段と、検出手段により放送情報にキーワードが含まれていると検出されると、記録媒体に仮記録した放送データの一部を先頭データとして、当該放送データを記録媒体に本記録していくように記録手段を制御する制御手段とを設けるようにした。
【００１２】
また本発明の記録方法においては、キーワードを設定する設定ステップと、放送局から送信される放送信号を受信する放送信号受信ステップと、放送信号受信ステップで受信した放送信号を、放送データとして記録媒体に一時的に仮記録する仮記録ステップと、受信中の放送信号の内容を示す放送情報を要求するための要求情報を外部装置に定期的に送信し、当該要求情報に応じて外部装置から送信された放送情報を受信する通信ステップと、通信ステップで受信した放送情報にキーワードが含まれているかどうかを検出する検出ステップと、検出ステップで放送情報にキーワードが含まれていると検出すると、記録媒体に仮記録した放送データの一部を先頭データとして、当該放送データを記録媒体に本記録していく本記録ステップとを設けるようにした。
【００１３】
さらに本発明の記録プログラムにおいては、情報処理装置に対して、キーワードを設定する設定ステップと、放送局から送信される放送信号を受信する放送信号受信ステップと、放送信号受信ステップで受信した放送信号を、放送データとして記録媒体に一時的に仮記録する仮記録ステップと、受信中の放送信号の内容を示す放送情報を要求するための要求情報を外部装置に定期的に送信し、当該要求情報に応じて外部装置から送信された放送情報を受信する通信ステップと、通信ステップで受信した放送情報にキーワードが含まれているかどうかを検出する検出ステップと、検出ステップで放送情報にキーワードが含まれていると検出すると、記録媒体に仮記録した放送データの一部を先頭データとして、当該放送データを記録媒体に本記録していく本記録ステップとを実行させるようにした。
【００１４】
このように、受信中の放送信号の内容を示す放送情報を定期的に取得し、この放送情報からキーワードが検出されると、当該放送信号を本記録していくようにしたことにより、放送信号として受信している番組の番組映像や番組音声が、ユーザの所望する番組映像や番組音声である場合に、その番組映像や番組音声を記録することができる。
【発明の効果】
【００１５】
本発明によれば、受信中の放送信号の内容を示す放送情報を定期的に取得し、この放送情報からキーワードが検出されると、当該放送信号を本記録していくようにしたことにより、放送信号として受信している番組の番組映像や番組音声が、ユーザの所望する番組映像や番組音声である場合に、その番組映像や番組音声を記録することができ、かくして放送される番組映像や番組音声のうちユーザが所望する部分の番組映像や番組音声を容易に記録し得る記録装置、記録方法及び記録プログラムを実現できる。
【発明を実施するための最良の形態】
【００１６】
以下図面について、本発明の実施の形態を詳述する。
【００１７】
（１）第１の実施の形態
（１−１）音楽関連サービス提供システムの構成
図１において、１は全体として音楽関連サービス提供システムを示し、この音楽関連サービス提供システム１の運営業者と契約しているユーザのクライアント端末２と、当該クライアント端末２を管理するポータルサーバ３と、当該クライアント端末２に対して音楽に関する各種サービスを提供する複数のサーバＳＶ１乃至ＳＶ５とを有している。
【００１８】
この実施の形態の場合、音楽データ配信サーバＳＶ１は、ＡＴＲＡＣ３（Adaptive Transform Acoustic Coding 3）、ＡＡＣ（Advanced Audio Coding ）、ＷＭＡ（Windows（登録商標） Media Audio ）、ＲｅａｌＡＵＤＩＯ  Ｇ２  Ｍｕｓｉｃ  Ｃｏｄｅｃ、ＭＰ３（MPEG Audio Layer-3）形式等でなる音楽データをクライアント端末２に配信する音楽データ配信サービスを提供する。
【００１９】
また物販サーバＳＶ２は、ＣＤ（Compact Disc）やＤＶＤ（Digital Versatile Disc）等をクライアント端末２を介してユーザに販売する物販サービスを提供する。
【００２０】
さらにラジオ放送情報配信サーバＳＶ３は、ラジオ局を介して放送されているラジオ放送のラジオ番組や音楽等についてのラジオ放送情報をクライアント端末２に配信するラジオ放送情報配信サービスを提供する。
【００２１】
さらにインターネットラジオサーバＳＶ４は、インターネットに相当するネットワークＮＴを介してラジオ放送データをストリーミング配信の形態でクライアント端末２に向けて放送するインターネットラジオ放送サービスを提供する。
【００２２】
これに加えて課金サーバＳＶ５は、ポータルサーバ３等からの要求に応じてユーザに対し様々な料金を課すための課金処理を実行するようになされている。
【００２３】
（１−２）クライアント端末２の構成
（１−２−１）クライアント端末２の機能回路ブロック構成
次にクライアント端末２の機能回路ブロックによるハードウェア構成を説明する。図２に示すようにクライアント端末２は、その筐体表面やリモートコントローラ（図示せず）に設けられた各種操作ボタンでなる操作入力部２０がユーザによって操作されると、当該操作入力部２０でこれを認識し、当該操作に応じた操作入力信号を入力処理部２１に送出する。
【００２４】
入力処理部２１は、操作入力部２０から与えられる操作入力信号を特定の操作コマンドに変換しバス２２を介して制御部２３に送出する。
【００２５】
制御部２３は、バス２２を介して接続された各回路から与えられる操作コマンドや制御信号に基づいてこれら各回路の動作を制御する。
【００２６】
表示制御部２４は、バス２２を介して供給される映像データに対してディジタルアナログ変換処理を施し、その結果得られるアナログ映像信号を表示部２５に送出する。
【００２７】
表示部２５は、例えば液晶ディスプレイ等の表示デバイスであって、筐体表面に直接取り付けられている場合や外付けされている場合がある。
【００２８】
そして表示部２５は、制御部２３による処理結果や各種映像データが表示制御部２４を介してアナログ映像信号として供給されると、当該アナログ映像信号に基づく映像を表示する。
【００２９】
音声制御部２６は、バス２２を介して供給される音声データに対してディジタルアナログ変換処理を施し、その結果得られるアナログ音声信号をスピーカ２７に送出する。スピーカ２７は、音声制御部２６から供給されるアナログ音声信号に基づく音声を出力する。
【００３０】
外部記録媒体記録再生部２８は、ＣＤや、フラッシュメモリが外装ケースに内包されたメモリスティック（登録商標）等の外部記録媒体に記録されているコンテンツデータを読み出して再生し、又は当該外部記録媒体に対し記録対象のコンテンツデータを記録する記録再生部である。
【００３１】
外部記録媒体記録再生部２８は、外部記録媒体からコンテンツデータとして映像データを読み出したとき、当該読み出した映像データをバス２２を介して表示制御部２４に供給する。
【００３２】
これにより表示制御部２４は、外部記録媒体記録再生部２８により外部記録媒体からコンテンツデータとして読み出された映像データをアナログ映像信号に変換して表示部２５に供給する。
【００３３】
また外部記録媒体記録再生部２８は、外部記録媒体からコンテンツデータとして音声データを読み出したとき、当該読み出した音声データをバス２２を介して音声制御部２６に供給する。
【００３４】
これにより音声制御部２６は、外部記録媒体記録再生部２８により外部記録媒体からコンテンツデータとして読み出された音声データをアナログ音声信号に変換してスピーカ２７に供給する。
【００３５】
さらに制御部２３は、外部記録媒体記録再生部２８により外部記録媒体から読み出されたコンテンツデータをバス２２を介してクライアント端末２内部の記憶媒体２９に送出し、その記憶媒体２９に対して当該コンテンツデータを記憶する（以下、このようにコンテンツデータを記憶媒体２９に記憶することをリッピングと呼ぶ）ことができる。
【００３６】
そして制御部２３は、記憶媒体２９からコンテンツデータとしてイメージデータ又はビデオデータ等の映像データを読み出したときには、当該読み出した映像データをバス２２を介して表示制御部２４に供給する。
【００３７】
また制御部２３は、記憶媒体２９からコンテンツデータとしてオーディオデータ等の音声データを読み出したときには、当該読み出した音声データをバス２２を介して音声制御部２６に供給する。
【００３８】
これに加えて制御部２３は、記憶媒体２９から音楽データを読み出して外部記録媒体記録再生部２８に転送することにより当該外部記録媒体記録再生部２８により外部記録媒体に対しその音楽データを記録させることもできる。
【００３９】
放送信号受信部３０は、各ラジオ局から送信されるラジオ放送波を受信し、チューナ部３１に供給する。
【００４０】
チューナ部３１は、制御部２３の制御のもと、放送信号受信部３０を介して受信されたラジオ放送波の中から例えば操作入力部２０を介して指定されたラジオ局に対応する放送周波数のラジオ放送信号を抽出して所定の受信処理を施し、この結果得られる音声データをバス２２を介して音声制御部２６に送出する。
【００４１】
音声制御部２６は、チューナ部３１から与えられた音声データをアナログ音声信号に変換してスピーカ２７に送出することにより、当該スピーカ２７からラジオ局で放送されているラジオ番組の番組音声を出力させ、かくしてユーザに対しラジオ番組の番組音声を聴取させることができる。
【００４２】
また制御部２３は、チューナ部３１で得られた音声データを記憶媒体２９に送出して記憶することにより、ラジオ番組の番組音声を録音することもできる。
【００４３】
さらに制御部２３は、通信制御部３２及びネットワークインタフェース３３を順次介してネットワークＮＴに接続し、当該ネットワークＮＴ上のポータルサーバ３やその他サーバＳＶ１乃至ＳＶ４にアクセスすることができ、これによりポータルサーバ３やその他サーバＳＶ１乃至ＳＶ４との間で各種情報や各種データを送受信する。
【００４４】
エンコーダ／デコーダ部３４は、ネットワークＮＴからネットワークインタフェース３３及び通信制御部３２を順次介して受信された圧縮符号化されているコンテンツデータ、あるいは記憶媒体２９や外部記録媒体から読み出された圧縮符号化されているコンテンツデータを復号し表示制御部２４や音声制御部２６に送出する。
【００４５】
またエンコーダ／デコーダ部３４は、外部記録媒体から読み出された圧縮符号化されてはいないコンテンツデータや、チューナ部３１から与えられる音声データ等を圧縮符号化し、当該圧縮符号化したコンテンツデータを記憶媒体２９に送出する。
【００４６】
これによりエンコーダ／デコーダ部３４で圧縮符号化されたコンテンツデータは、制御部２３の制御のもと記憶媒体２９に記憶される。
【００４７】
著作権管理部３５は、ネットワークＮＴからネットワークインタフェース３３及び通信制御部３２を順次介してダウンロードされるコンテンツデータに対応する著作権管理情報や、外部記録媒体記録再生部２８により外部記録媒体から読み出されたコンテンツデータに対応する著作権管理情報を生成する。
【００４８】
著作権管理部３５で生成された著作権管理情報は、制御部２３の制御のもとにコンテンツデータと対応付けられて記憶媒体２９に登録される。
【００４９】
また著作権管理部３５は、記憶媒体２９と特定の外部記録媒体との間で著作権管理情報を対応付けたコンテンツデータをチェックアウトするときや、当該特定の外部記録媒体と記憶媒体２９との間で当該著作権管理情報を対応付けたコンテンツデータをチェックインするときに、当該コンテンツデータに対応する著作権管理情報の内容を適切に更新することにより、そのコンテンツデータに対する著作権を保護する。
【００５０】
ページ情報生成部３６は、ネットワークＮＴからネットワークインタフェース３３及び通信制御部３２を順次介して受信されたＸＭＬ（eXtensible Markup Language）ファイル、あるいはＨＴＭＬ（Hyper Text Markup language）ファイル等のページ情報を解釈して表示部２５に表示するための映像データを生成し、当該生成した映像データを表示制御部２４に送出する。
【００５１】
認証処理部３７は、ネットワークインタフェース３３を介して接続されるネットワークＮＴ上のポータルサーバ３やその他サーバＳＶ１乃至ＳＶ４に対し認証情報を通信制御部３２及びネットワークインタフェース３３を順次介して送信する等の認証処理を実行する。
【００５２】
認証情報記憶部３８は、認証処理部３７がポータルサーバ３やその他サーバＳＶ１乃至ＳＶ４に対しアクセスするときに必要となる認証情報を記憶する。
【００５３】
ラジオ放送表示制御部３９は、現在、ユーザによる聴取用に受信中のラジオ放送に関するラジオ放送情報を要求するための要求信号を通信制御部３２及びネットワークインタフェース３３を順次介して、当該受信中のラジオ放送を放送しているラジオ局に対応するラジオ放送情報配信サーバＳＶ３に送信する。
【００５４】
その結果、ラジオ放送表示制御部３９は、ネットワークＮＴ上のラジオ放送情報配信サーバＳＶ３から送信されたラジオ放送情報をネットワークインタフェース３３及び通信制御部３２を順次介して受信すると共に、当該受信したラジオ放送情報を表示制御部２４に送出することにより表示部２５に対し、現在受信中のラジオ番組の番組名や、当該受信中の楽曲のタイトル及びアーティスト名等からなるラジオ放送情報を表示させる。
【００５５】
（１−２−２）ディレクトリ管理
クライアント端末２の制御部２３は、記憶媒体２９に対して記憶するコンテンツデータを、図３に示すディレクトリ構成で管理する。まず「ｒｏｏｔ」ディレクトリの下層に対しては、規定範囲内での任意の数の「ｆｏｌｄｅｒ」ディレクトリが作成される。この「ｆｏｌｄｅｒ」ディレクトリは、例えばコンテンツが属するジャンル、又は所有ユーザ等に対応して作成される。
【００５６】
この「ｆｏｌｄｅｒ」ディレクトリの下層には、規定範囲内での任意の数の「ａｌｂｕｍ」ディレクトリが作成され、当該「ａｌｂｕｍ」ディレクトリは例えば１つのアルバムタイトル毎に対応するようになされている。この「ａｌｂｕｍ」ディレクトリの下層においては、その「ａｌｂｕｍ」ディレクトリに属するとされる１以上の「ｔｒａｃｋ」ファイルが格納され、この「ｔｒａｃｋ」ファイルが１つの楽曲すなわちコンテンツとなるものである。
【００５７】
このようなコンテンツデータについてのディレクトリ管理は、記憶媒体２９に記憶されているデータベースファイルによって行われる。
【００５８】
（１−３）ポータルサーバ３の機能回路ブロック構成
次に、図４を用いてポータルサーバ３の機能回路ブロックによるハードウェア構成を説明する。ポータルサーバ３内の制御部５０は、バス５１を介して接続される各回路の動作を制御する。
【００５９】
通信制御部５２は、制御部５０の制御のもと、ネットワークインタフェース５３を介してクライアント端末２やその他サーバＳＶ１乃至ＳＶ５と各種情報を送受信する。
【００６０】
顧客データベース部５４には、音楽関連サービス提供システム１の運営業者とすでに契約を完了しているユーザのユーザＩＤ（Identification）情報とパスワード情報とが対応付けられて顧客情報として登録されている。
【００６１】
ページ情報記憶部５５には、音楽関連サービス提供システム１の運営業者が管理するページ情報等が記憶されている。
【００６２】
なおページ情報は、ＸＭＬ等の言語によって記述されており、音楽データ配信サーバＳＶ１、物販サーバＳＶ２、ラジオ放送情報配信サーバＳＶ３及びインターネットラジオサーバＳＶ４等にアクセスするためのＵＲＬ（Uniform Resource Locator）情報を含んでいる。
【００６３】
認証処理部５６は、クライアント端末２から送信されたユーザＩＤ情報及びパスワード情報をネットワークインタフェース５３及び通信制御部５２を順次介して受信すると、ユーザ認証処理として、当該受信したユーザＩＤ情報及びパスワード情報が顧客データベース部５４に顧客情報として登録されているか否かを確認する。
【００６４】
そして認証処理部５６は、ユーザ認証処理を終了すると、当該ユーザ認証処理の結果を示したポータル認証結果情報（後述する認証セッションＩＤ情報）を発行し、当該発行したポータル認証結果情報を認証情報記憶部５７に一時記憶する。
【００６５】
このとき制御部５０は、認証処理部５６によるユーザ認証処理の結果、ユーザが正規ユーザであると認証されると、ページ情報記憶部５５に記憶されている契約者用のページ情報をポータル認証結果情報と共に通信制御部５２及びネットワークインタフェース５３を順次介してクライアント端末２に送信する。
【００６６】
なお制御部５０は、認証処理部５６によるユーザ認証処理の結果、ユーザが正規ユーザであると認証されなかったときには、認証エラー情報を、ページ情報記憶部５５に記憶されている認証の失敗を示す認証失敗通知ページ情報と共に通信制御部５２及びネットワークインタフェース５３を順次介してクライアント端末２に送信するように構成しても良い。
【００６７】
また認証処理部５６は、音楽データ配信サーバＳＶ１、物販サーバＳＶ２及びラジオ放送情報配信サーバＳＶ３からユーザに対する認証処理が実行された結果、当該ユーザのクライアント端末２から取得して送信されるポータル認証結果情報（後述する認証チケット）をネットワークインタフェース５３及び通信制御部５２を順次介して受信すると、当該受信したポータル認証結果情報と、認証情報記憶部５７に一時記憶していた当該ユーザに対応するポータル認証結果情報とを比較する。
【００６８】
これにより認証処理部５６は、音楽データ配信サーバＳＶ１、物販サーバＳＶ２及びラジオ放送情報配信サーバＳＶ３から受信したポータル認証結果情報に対する認証処理として、正規のポータル認証結果情報であるか否かを確認する確認処理を実行し、その確認結果を示す確認結果情報を通信制御部５２及びネットワークインタフェース５３を順次介して当該音楽データ配信サーバＳＶ１、物販サーバＳＶ２及びラジオ放送情報配信サーバＳＶ３に返信する。
【００６９】
周波数情報記憶部５８には、地域を特定可能な郵便番号等の地域コードと、その地域コードの示す地域で受信可能なラジオ放送の放送周波数を示す周波数情報、当該ラジオ放送を放送するラジオ局の名称（以下、これをラジオ局名と呼ぶ）及び当該ラジオ局毎のユニークな識別情報であるコールサインとが対応付けられて記憶されている。
【００７０】
ＵＲＬ記憶部５９には、ラジオ放送用のラジオ局毎のコールサインと、当該コールサインに対応するラジオ局で提供する現在放送中のラジオ番組に関し当該ラジオ番組の番組名やそのラジオ番組内で現時点に流されている楽曲のタイトル等からなるラジオ放送情報（以下、これを特にナウオンエア情報と呼ぶ）を取得可能なＵＲＬ情報とが対応付けられて記憶されている。
【００７１】
（１−４）音楽データ配信サーバＳＶ１の機能回路ブロック構成
次に、図５を用いて音楽データ配信サーバＳＶ１の機能回路ブロックによるハードウェア構成を説明する。音楽データ配信サーバＳＶ１内の制御部７０は、バス７１を介して接続される各回路の動作を制御する。
【００７２】
通信制御部７２は、制御部７０の制御のもと、ネットワークインタフェース７３を介してクライアント端末２やポータルサーバ３等と各種情報や、コンテンツデータ等の各種データを送受信する。
【００７３】
顧客データベース部７４には、音楽データ配信サーバＳＶ１の運営業者とすでに契約を完了しているユーザのユーザＩＤ情報とパスワード情報とが対応付けられて顧客情報として登録されている。ただし認証処理部７５が、クライアント端末２から送信される、ポータルサーバ３によって発行されたポータル認証結果情報に基づいてユーザを認証処理する機能を有する場合には、顧客データベース部７４を設けなくてもよい。
【００７４】
ページ情報記憶部７６には、音楽データ配信サーバＳＶ１が管理する、ダウンロード可能な音楽データを紹介する音楽データ配信用のページ情報等が記憶されている。
【００７５】
因みに音楽データ配信用のページ情報は、ＸＭＬ等の言語によって記述されており、クライアント端末２を利用するユーザに対してダウンロードを希望する音楽データを選択させることができる。
【００７６】
そして制御部７０は、クライアント端末２から送信される、音楽データ配信用のページ情報を要求するページ情報取得要求信号をネットワークインタフェース７３及び通信制御部７２を順次介して受信すると、当該受信したページ情報取得要求信号に応じて、ページ情報記憶部７６に記憶された音楽データ配信用のページ情報を通信制御部７２及びネットワークインタフェース７３を順次介してクライアント端末２に送信する。
【００７７】
認証処理部７５は、クライアント端末２から送信される、当該クライアント端末２を利用するユーザのユーザＩＤ情報及びパスワード情報をネットワークインタフェース７３及び通信制御部７２を順次介して受信すると、ユーザ認証処理として、当該受信したユーザＩＤ情報及びパスワード情報が顧客データベース部７４に顧客情報として登録されているか否かを確認する。
【００７８】
また認証処理部７５は、ユーザＩＤ情報及びパスワード情報を用いるユーザ認証処理とは異なるユーザ認証手法として、クライアント端末２から送信される、ポータルサーバ３で発行されたポータル認証結果情報（後述する認証チケット）をネットワークインタフェース７３及び通信制御部７２を順次介して受信し、当該受信したポータル認証結果情報を通信制御部７２及びネットワークインタフェース７３を順次介してポータルサーバ３に送信する。
【００７９】
そして認証処理部７５は、ポータルサーバ３へのポータル認証結果情報の送信に応じて、当該ポータルサーバ３からそのポータル認証結果情報に対する認証処理（すなわち、上述の確認処理）が実行された結果返信される確認結果情報をネットワークインタフェース７３及び通信制御部７２を順次介して受信し、当該受信した確認結果情報に基づいてユーザが音楽関連サービス提供システム１の運営業者とすでに契約を完了している正規ユーザであるか否かを確認する。
【００８０】
このようにして認証処理部７５は、ユーザ認証処理が終了すると、そのユーザ認証処理の結果を示したサーバ認証結果情報（後述するサービスセッションＩＤ情報）を発行する。
【００８１】
このとき制御部７０は、認証処理部７５によるユーザ認証処理の結果、ユーザが正規ユーザであると認証されると、ページ情報記憶部７６に契約者用として記憶されている音楽データ配信用のページ情報をサーバ認証結果情報と共に通信制御部７２及びネットワークインタフェース７３を順次介してクライアント端末２に送信する。
【００８２】
これに対して制御部７０は、認証処理部７５によるユーザ認証処理の結果、ユーザが正規ユーザであると認証されなかったときには、認証エラー情報を、ページ情報記憶部７６に記憶されている認証の失敗を示す認証失敗通知ページ情報と共に通信制御部７２及びネットワークインタフェース７３を順次介してクライアント端末２に送信する。
【００８３】
ところで認証情報記憶部７７には、認証処理部７５により発行されたサーバ認証結果情報が一時記憶されると共に、当該認証処理部７５により、クライアント端末２を利用するユーザをユーザ認証処理するときに必要とされる各種認証情報が記憶されている。
【００８４】
音楽データ記憶部７８には、上述のＡＴＲＡＣ３形式やＭＰ３形式等で圧縮符号化された複数の音楽データが各々のコンテンツＩＤ情報等の検索キーと対応付けられて記憶されている。
【００８５】
検索部７９は、クライアント端末２に対し音楽データ配信用のページ情報が送信された結果、当該クライアント端末２から送信される、ダウンロード希望の音楽データ検索用の検索キーが格納されそのダウンロード希望の音楽データをダウンロード要求するダウンロード要求信号がネットワークインタフェース７３及び通信制御部７２を順次介して受信されると、当該受信されたダウンロード要求信号からその検索キーを取り出す。
【００８６】
そして検索部７９は、かかる検索キーに基づいて、音楽データ記憶部７８内の複数の音楽データの中から当該検索キーの示す検索条件に該当するダウンロード希望の音楽データを検索する。
【００８７】
これにより制御部７０は、その検索されたダウンロード希望の音楽データを通信制御部７２及びネットワークインタフェース７３を順次介してクライアント端末２に送信する。
【００８８】
また制御部７０は、このときクライアント端末２への音楽データのダウンロードに伴うユーザに対する課金処理用の課金情報を通信制御部７２及びネットワークインタフェース７３を順次介して課金サーバＳＶ５に送信することにより、課金サーバＳＶ５に対し当該ユーザに対する音楽データのダウンロードに応じた課金処理を実行させる。
【００８９】
（１−５）物販サーバＳＶ２の機能回路ブロック構成
次に、図６を用いて物販サーバＳＶ２の機能回路ブロックによるハードウェア構成を説明する。物販サーバＳＶ２内の制御部９０は、バス９１を介して接続される各回路の動作を制御する。
【００９０】
通信制御部９２は、制御部９０の制御のもと、ネットワークインタフェース９３を介してクライアント端末２やポータルサーバ３等と各種情報を送受信する。
【００９１】
顧客データベース部９４には、物販サーバＳＶ２の運営業者とすでに契約を完了しているユーザのユーザＩＤ情報とパスワード情報とが対応付けられて顧客情報として登録されている。ただし認証処理部９５が、クライアント端末２から送信される、ポータルサーバ３によって発行されたポータル認証結果情報に基づいてユーザを認証処理する機能を有する場合には、顧客データベース部９４を設けなくてもよい。
【００９２】
ページ情報記憶部９６には、物販サーバＳＶ２が管理する、販売対象のＣＤやＤＶＤ等のパッケージメディアを紹介するパッケージメディア販売用のページ情報等が記憶されている。
【００９３】
因みにパッケージメディア販売用のページ情報は、ＸＭＬ等の言語によって記述されており、クライアント端末２を利用するユーザに対して購入を希望するＣＤやＤＶＤ等のパッケージメディアを選択させることができる。
【００９４】
そして制御部９０は、クライアント端末２から送信される、パッケージメディア販売用のページ情報を要求するページ情報取得要求信号をネットワークインタフェース９３及び通信制御部９２を順次介して受信すると、当該受信したページ情報取得要求信号に応じて、ページ情報記憶部９６に記憶されたパッケージメディア販売用のページ情報を通信制御部９２及びネットワークインタフェース９３を順次介してクライアント端末２に送信する。
【００９５】
認証処理部９５は、クライアント端末２から送信される、当該クライアント端末２を利用するユーザのユーザＩＤ情報及びパスワード情報をネットワークインタフェース９３及び通信制御部９２を順次介して受信すると、ユーザ認証処理として、当該受信したユーザＩＤ情報及びパスワード情報が顧客データベース部９４に顧客情報として登録されているか否かを確認する。
【００９６】
また認証処理部９５は、ユーザＩＤ情報及びパスワード情報を用いるユーザ認証処理とは異なるユーザ認証手法として、クライアント端末２から送信される、ポータルサーバ３で発行されたポータル認証結果情報（後述する認証チケット）をネットワークインタフェース９３及び通信制御部９２を順次介して受信し、当該受信したポータル認証結果情報を通信制御部９２及びネットワークインタフェース９３を順次介してポータルサーバ３に送信する。
【００９７】
そして認証処理部９５は、ポータルサーバ３へのポータル認証結果情報の送信に応じて、当該ポータルサーバ３からそのポータル認証結果情報に対する認証処理（すなわち、上述の確認処理）が実行された結果返信される確認結果情報をネットワークインタフェース９３及び通信制御部９２を順次介して受信し、当該受信した確認結果情報に基づいてユーザが音楽関連サービス提供システム１の運営業者とすでに契約を完了している正規ユーザであるか否かを確認する。
【００９８】
このようにして認証処理部９５は、ユーザ認証処理が終了すると、そのユーザ認証処理の結果を示したサーバ認証結果情報（後述するサービスセッションＩＤ情報）を発行する。
【００９９】
このとき制御部９０は、認証処理部９５によるユーザ認証処理の結果、ユーザが正規ユーザであると認証されると、ページ情報記憶部９６に契約者用として記憶されているパッケージメディア販売用のページ情報をサーバ認証結果情報と共に通信制御部９２及びネットワークインタフェース９３を順次介してクライアント端末２に送信する。
【０１００】
これに対して制御部９０は、認証処理部９５によるユーザ認証処理の結果、ユーザが正規ユーザであると認証されなかったときには、認証エラー情報を、ページ情報記憶部９６に記憶されている認証の失敗を示す認証失敗通知ページ情報と共に通信制御部９２及びネットワークインタフェース９３を順次介してクライアント端末２に送信する。
【０１０１】
ところで認証情報記憶部９７には、認証処理部９５により発行されたサーバ認証結果情報が一時記憶されると共に、当該認証処理部９５により、クライアント端末２を利用するユーザをユーザ認証処理するときに必要とされる各種認証情報が記憶されている。
【０１０２】
パッケージメディア情報記憶部９８には、販売対象のＣＤやＤＶＤ等の複数のパッケージメディアに関する情報（以下、これをパッケージメディア情報と呼ぶ）が各々のパッケージメディアＩＤ情報等の検索キーと対応付けられて記憶されている。
【０１０３】
検索部９９は、クライアント端末２に対しパッケージメディア販売用のページ情報が送信された結果、当該クライアント端末２から送信される、特定のＣＤやＤＶＤ等のパッケージメディアに関するパッケージメディア情報を要求するメディア情報要求信号がネットワークインタフェース９３及び通信制御部９２を順次介して受信されると、当該受信されたメディア情報要求信号から当該特定のパッケージメディア検索用の検索キーを取り出す。
【０１０４】
そして検索部９９は、かかる検索キーに基づいて、パッケージメディア情報記憶部９８内の複数のパッケージメディア情報の中から当該検索キーの示す検索条件に該当する特定のパッケージメディアのパッケージメディア情報を検索する。
【０１０５】
これにより制御部９０は、その検索されたパッケージメディア情報を通信制御部９２及びネットワークインタフェース９３を順次介してクライアント端末２に送信し、かくしてユーザに対し特定のパッケージメディアに関するパッケージメディア情報を提示する。
【０１０６】
その結果、制御部９０は、クライアント端末２から送信される、上述の特定のパッケージメディアを購入要求する購入要求信号をネットワークインタフェース９３及び通信制御部９２を順次介して受信すると、当該クライアント端末２を利用するユーザへの当該特定のパッケージメディアの引き渡し手続等の購入処理を実行する。
【０１０７】
また制御部９０は、特定のパッケージメディアの購入に伴うユーザに対する課金処理用の課金情報を通信制御部９２及びネットワークインタフェース９３を順次介して課金サーバＳＶ５に送信することにより、課金サーバＳＶ５に対し当該ユーザに対する特定のパッケージメディアの購入に応じた課金処理を実行させる。
【０１０８】
さらに制御部９０は、課金サーバＳＶ５によるユーザに対する課金処理が完了すると、パッケージメディアの購入処理が完了したことを示す購入完了ページ情報を通信制御部９２及びネットワークインタフェース９３を順次介してクライアント端末２に送信する。
【０１０９】
（１−６）ラジオ放送情報配信サーバＳＶ３の機能回路ブロック構成
次に、図７を用いてラジオ放送情報配信サーバＳＶ３の機能回路ブロックによるハードウェア構成を説明する。ラジオ放送情報配信サーバＳＶ３内の制御部１１０は、バス１１１を介して接続される各回路の動作を制御する。
【０１１０】
通信制御部１１２は、制御部１１０の制御のもと、ネットワークインタフェース１１３を介してクライアント端末２やポータルサーバ３等と各種情報を送受信する。
【０１１１】
顧客データベース部１１４には、ラジオ放送情報配信サーバＳＶ３の運営業者とすでに契約を完了しているユーザのユーザＩＤ情報とパスワード情報とが対応付けられて顧客情報として登録されている。ただし認証処理部１１５が、クライアント端末２から送信される、ポータルサーバ３によって発行されたポータル認証結果情報に基づいてユーザを認証処理する機能を有する場合には、顧客データベース部１１４を設けなくてもよい。
【０１１２】
ページ情報記憶部１１６には、ラジオ放送情報配信サーバＳＶ３が管理し、当該ラジオ放送情報配信サーバＳＶ３に対応するラジオ局によってすでに放送されたラジオ番組に関するラジオ放送情報（以下、これを特にオンエアリスト情報と呼ぶ）の取得に利用させるオンエアリスト情報配信用のページ情報等が記憶されている。
【０１１３】
因みにオンエアリスト情報配信用のページ情報は、ＸＭＬ等の言語によって記述され、クライアント端末２を利用するユーザに対し、ラジオ番組の放送日時情報や番組名等を、取得希望のオンエアリスト情報に対する検索キーとして入力させるための入力ボックス等が設けられている。
【０１１４】
オンエアリスト情報記憶部１１７には、ラジオ放送情報配信サーバＳＶ３に対応するラジオ局ですでに放送されたラジオ番組に対する番組名、番組放送開始時刻及び番組放送終了時刻等と、当該ラジオ番組内で流された楽曲に対するタイトル、アーティスト名、楽曲放送開始時刻等とをリスト化して生成されたオンエアリスト情報が記憶されている。
【０１１５】
そして制御部１１０は、クライアント端末２から送信される、オンエアリスト情報配信用のページ情報を要求するページ情報取得要求信号をネットワークインタフェース１１３及び通信制御部１１２を順次介して受信すると、当該受信したページ情報取得要求信号に応じて、ページ情報記憶部１１６に記憶されたオンエアリスト情報配信用のページ情報を通信制御部１１２及びネットワークインタフェース１１３を順次介してクライアント端末２に送信する。
【０１１６】
その結果、検索部１１８は、クライアント端末２からオンエアリスト情報配信用のページ情報上で入力された取得希望のオンエアリスト情報検索用の検索キーが格納されオンエアリスト情報をダウンロード要求するオンエアリスト情報要求信号が送信されることにより、そのオンエアリスト情報要求信号をネットワークインタフェース１１３及び通信制御部１１２を順次介して受信すると、当該受信したオンエアリスト情報要求信号から検索キーを取り出す。
【０１１７】
そして検索部１１８は、かかる検索キーに基づいて、オンエアリスト情報記憶部１１７内のオンエアリスト情報全体に対し当該検索キーの示す検索条件に該当する所定範囲部分を取得希望のオンエアリスト情報として検索する。
【０１１８】
これにより制御部１１０は、その検索された取得希望のオンエアリスト情報を通信制御部１１２及びネットワークインタフェース１１３を順次介してクライアント端末２に送信する。
【０１１９】
またナウオンエア情報記憶部１１９には、ラジオ放送情報配信サーバＳＶ３に対応するラジオ局で現在放送中のラジオ番組に対する番組名、番組放送開始時刻、番組放送終了時刻、当該ラジオ番組内で現時点に流されている楽曲に対するタイトル、アーティスト名、楽曲放送開始時刻等からなるナウオンエア情報が記憶されている。
【０１２０】
そして認証処理部１１５は、クライアント端末２からナウオンエア情報を取得要求するナウオンエア情報要求信号と共に送信される、当該クライアント端末２を利用するユーザのユーザＩＤ情報及びパスワード情報をネットワークインタフェース１１３及び通信制御部１１２を順次介して受信すると、ユーザ認証処理として、当該受信したユーザＩＤ情報及びパスワード情報が顧客データベース部１１４に顧客情報として登録されているか否かを確認する。
【０１２１】
また認証処理部１１５は、ユーザＩＤ情報及びパスワード情報を用いるユーザ認証処理とは異なるユーザ認証手法として、クライアント端末２から送信される、ポータルサーバ３で発行されたポータル認証結果情報（後述する認証チケット）をネットワークインタフェース１１３及び通信制御部１１２を順次介して受信し、当該受信したポータル認証結果情報を通信制御部１１２及びネットワークインタフェース１１３を順次介してポータルサーバ３に送信する。
【０１２２】
そして認証処理部１１５は、ポータルサーバ３へのポータル認証結果情報の送信に応じて、当該ポータルサーバ３からそのポータル認証結果情報に対する認証処理（すなわち、上述の確認処理）が実行された結果返信される確認結果情報をネットワークインタフェース１１３及び通信制御部１１２を順次介して受信し、当該受信した確認結果情報に基づいてユーザが音楽関連サービス提供システム１の運営業者とすでに契約を完了している正規ユーザであるか否かを確認する。
【０１２３】
このようにして認証処理部１１５は、ユーザ認証処理が終了すると、そのユーザ認証処理の結果を示したサーバ認証結果情報（後述するサービスセッションＩＤ情報）を発行する。
【０１２４】
このとき制御部１１０は、認証処理部１１５によるユーザ認証処理の結果、ユーザが正規ユーザであると認証されると、ナウオンエア情報記憶部１１９に記憶されているナウオンエア情報をサーバ認証結果情報と共に通信制御部１１２及びネットワークインタフェース１１３を順次介してクライアント端末２に送信する。
【０１２５】
これに対して制御部１１０は、認証処理部１１５によるユーザ認証処理の結果、ユーザが正規ユーザであると認証されなかったときには、認証エラー情報を、ページ情報記憶部１１６に記憶されている認証の失敗を示す認証失敗通知ページ情報と共に通信制御部１１２及びネットワークインタフェース１１３を順次介してクライアント端末２に送信する。
【０１２６】
このようにして制御部１１０は、ユーザからナウオンエア情報の取得が要求されたとき、当該ユーザを正規ユーザであると認証したときには、ナウオンエア情報を配信するものの、ユーザを正規ユーザであると認証することができなかったときには、そのユーザに対してナウオンエア情報の配信サービスのようなラジオ放送情報配信サーバＳＶ３が提供するラジオ放送情報配信サービスを受けさせないようにしている。
【０１２７】
ところで認証情報記憶部１２０には、認証処理部１１５により発行されたサーバ認証結果情報が一時記憶されると共に、当該認証処理部１１５により、クライアント端末２を利用するユーザをユーザ認証処理するときに必要とされる各種認証情報が記憶されている。
【０１２８】
（１−７）各サーバの処理概要
次に図８乃至図１３に示すシーケンスチャートを用いて、クライアント端末２とポータルサーバ３との間で実行される処理や、クライアント端末２とその他の音楽データ配信サーバＳＶ１、物販サーバＳＶ２及びラジオ放送情報配信サーバＳＶ３との間で実行される処理の概要を説明する。
【０１２９】
（１−７−１）クライアント端末２及びポータルサーバ３間のユーザ認証処理手順
まず図８を用いて、クライアント端末２とポータルサーバ３との間で実行されるユーザ認証処理手順について説明する。
【０１３０】
音楽関連サービス提供システム１の運営業者と契約しているユーザのクライアント端末２において制御部２３は、例えばクライアント端末２に対して電源を投入する操作が行われ、又はユーザにより操作入力部２０の特定の操作ボタンが押下されたことに応じてその操作入力部２０で認識された操作入力信号が入力処理部２１で操作コマンドに変換されて与えられると、認証要求処理を開始する。
【０１３１】
クライアント端末２で認証要求処理を開始すると、ステップＳＰ１において、制御部２３は、認証情報記憶部３８に対し予め一時記憶している認証セッションＩＤ情報等を格納した接続要求信号を生成し、当該生成した接続要求信号を通信制御部３２及びネットワークインタフェース３３を順次介してポータルサーバ３に送信する。
【０１３２】
因みに認証セッションＩＤ情報は、クライアント端末２とポータルサーバ３とがユーザ認証処理等の各種処理の実行用に通信接続する毎に、個々の通信接続状態（すなわち、セッション）の識別用としてポータルサーバ３によって発行される識別情報である。
【０１３３】
なおかかる認証セッションＩＤ情報については、ユーザ認証処理等に利用するうえで、ポータルサーバ３による発行時点を基準とした所定の有効期限（例えば１分程度）が設定されている。
【０１３４】
従ってポータルサーバ３から認証セッションＩＤ情報を取得したクライアント端末２は、その認証セッションＩＤ情報を有効期限以内にポータルサーバ３に対して提示することができない場合、ポータルサーバ３により、当該認証セッションＩＤ情報で特定される通信接続状態が切断されたと判断される。
【０１３５】
これによりポータルサーバ３は、過去に発行した認証セッションＩＤ情報が、音楽関連サービス提供システム１の運営業者と契約してはいないユーザによりユーザ認証処理等に対し不当に利用されることを防止している。
【０１３６】
また認証情報記憶部３８に一時記憶されている認証セッションＩＤ情報は、クライアント端末２とポータルサーバ３とが以前にユーザ認証処理等の実行用に通信接続したとき、そのポータルサーバ３によって発行されたものである。
【０１３７】
クライアント端末２から接続要求信号が送信されると、これに応じてステップＳＰ２においてポータルサーバ３の制御部５０は、ネットワークインタフェース５３及び通信制御部５２を順次介してその接続要求信号を受信し、当該受信した接続要求信号に格納されている認証セッションＩＤ情報等を認証処理部５６に送出する。
【０１３８】
そして認証処理部５６は、制御部５０の制御のもと、クライアント端末２から接続要求信号として受信された認証セッションＩＤ情報等に基づいてユーザ認証処理を実行する。
【０１３９】
その結果、制御部５０は、認証処理部５６により、クライアント端末２から受信した認証セッションＩＤ情報等の有効期限が切れる等して、当該クライアント端末２を利用するユーザを正規ユーザであると認証することができなかったときには、認証エラーを示す認証エラー情報を通信制御部５２及びネットワークインタフェース５３を順次介してクライアント端末２に送信する。
【０１４０】
ステップＳＰ３において、クライアント端末２の制御部２３は、ポータルサーバ３から送信された認証エラー情報をネットワークインタフェース３３及び通信制御部３２を順次介して受信すると、これに応じて認証情報記憶部３８に記憶しているユーザＩＤ情報及びパスワード情報等を読み出し、当該読み出したユーザＩＤ情報及びパスワード情報等を通信制御部３２及びネットワークインタフェース３３を順次介してポータルサーバ３に送信する。
【０１４１】
ステップＳＰ４において、ポータルサーバ３の制御部５０は、クライアント端末２から送信されたユーザＩＤ情報及びパスワード情報等をネットワークインタフェース５３及び通信制御部５２を順次介して受信し、当該受信したユーザＩＤ情報及びパスワード情報等を認証処理部５６に送出する。
【０１４２】
これにより認証処理部５６は、制御部５０の制御のもとにユーザ認証処理として、そのクライアント端末２から受信されたユーザＩＤ情報及びパスワード情報等が、顧客データベース部５４に登録されている顧客情報に含まれているか否かを検出する。
【０１４３】
その結果、認証処理部５６は、クライアント端末２を利用するユーザを正規ユーザであると認証すると、制御部５０の制御のもとにポータル認証結果情報として、現時点のクライアント端末２とポータルサーバ３との通信接続状態に対する認証セッションＩＤ情報等を発行すると共に、当該クライアント端末２に対して発行した認証セッションＩＤ情報等を認証情報記憶部５７に一時記憶する。
【０１４４】
そして制御部５０は、認証処理部５６によりそのクライアント端末２に対して発行された認証セッションＩＤ情報等を通信制御部５２及びネットワークインタフェース５３を順次介してクライアント端末２に送信する。
【０１４５】
ステップＳＰ５において、クライアント端末２の制御部２３は、ポータルサーバ３から送信された認証セッションＩＤ情報等をネットワークインタフェース３３及び通信制御部３２を順次介して受信し、当該受信した認証セッションＩＤ情報等を認証処理部３７に送出する。
【０１４６】
そして認証処理部３７は、制御部２３の制御のもとに、ポータルサーバ３から受信されたその認証セッションＩＤ情報等を認証情報記憶部３８に一時記憶する。
【０１４７】
これにより制御部２３は、ポータルサーバ３に対しページ情報を要求するためのページ情報取得要求信号を、ポータルサーバ３から受信して認証情報記憶部３８に一時記憶されたその認証セッションＩＤ情報等と共に通信制御部３２及びネットワークインタフェース３３を順次介してポータルサーバ３に送信する。
【０１４８】
ステップＳＰ６において、ポータルサーバ３の制御部５０は、クライアント端末２から送信されたページ情報取得要求信号及び認証セッションＩＤ情報等をネットワークインタフェース５３及び通信制御部５２を順次介して受信し、当該受信した認証セッションＩＤ情報等を認証処理部５６に送出する。
【０１４９】
これにより認証処理部５６は、制御部５０の制御のもと、クライアント端末２から受信された認証セッションＩＤ情報等と、上述のステップＳＰ４においてクライアント端末２に対して発行し認証情報記憶部５７に一時記憶していた認証セッションＩＤ情報等とを比較するようにしてユーザ認証処理を実行する。
【０１５０】
その結果ステップＳＰ７において、認証処理部５６は、クライアント端末２を利用するユーザを正規ユーザであると認証すると、当該クライアント端末２からのページ情報の取得要求が正当な要求であると判断し、クライアント端末２に対して発行していた認証セッションＩＤ情報等の有効期限を延長する。
【０１５１】
これにより制御部５０は、ページ情報記憶部５５から、ユーザによって取得要求されたページ情報を読み出すと共に、当該読み出したページ情報を、認証処理部５６により有効期限の延長された認証セッションＩＤ情報等と共に通信制御部５２及びネットワークインタフェース５３を順次介してクライアント端末２に送信する。
【０１５２】
ステップＳＰ８において、クライアント端末２の制御部２３は、ポータルサーバ３から送信されたページ情報と、有効期限の延長された認証セッションＩＤ情報等とをネットワークインタフェース３３及び通信制御部３２を順次介して受信し、当該受信したページ情報をページ情報生成部３６に送出すると共に、その有効期限の延長された認証セッションＩＤ情報等を認証処理部３７に送出する。
【０１５３】
ページ情報生成部３６は、制御部２３から与えられたページ情報に基づいて、音楽データ配信サーバＳＶ１、物販サーバＳＶ２及びラジオ放送情報配信サーバＳＶ３へのリンクが埋め込まれたページの映像データを生成し、当該生成した映像データを表示制御部２４に送出する。
【０１５４】
これにより表示制御部２４は、ページ情報生成部３６から与えられた映像データに対してディジタルアナログ変換処理を施し、得られたアナログ映像信号を表示部２５に送出することにより当該表示部２５にそのアナログ映像信号に基づく映像としてポータルサーバ３のページを表示させる。
【０１５５】
また認証処理部３７は、制御部２３の制御のもと認証情報記憶部３８において、ポータルサーバ３から受信された、有効期限の延長された認証セッションＩＤ情報等をその有効期限が延長される前の認証セッションＩＤ情報等に上書きするようにして一時記憶することにより、上述のステップＳＰ５において一時記憶していた認証セッションＩＤ情報等を有効期限の延長された認証セッションＩＤ情報等に更新する。
【０１５６】
（１−７−２）クライアント端末２及び各サーバＳＶ１乃至ＳＶ３間のユーザ認証処理手順
次に、図９において、クライアント端末２と、音楽データ配信サーバＳＶ１、物販サーバＳＶ２及びラジオ放送情報配信サーバＳＶ３との間で実行するユーザ認証処理について以下に説明する。
【０１５７】
この場合、かかるユーザ認証処理としては、クライアント端末２が図８について上述したようにポータルサーバ３からページ情報を一旦取得し、引き続きそのページ情報に埋め込まれたリンクにより音楽データ配信サーバＳＶ１、物販サーバＳＶ２及びラジオ放送情報配信サーバＳＶ３にアクセスして実行されるユーザ認証処理（以下、これを間接アクセス認証処理と呼ぶ）がある。
【０１５８】
またかかるユーザ認証処理としては、クライアント端末２がポータルサーバ３のページ情報を取得せずに、予めブックマークとして登録しているＵＲＬ情報等により音楽データ配信サーバＳＶ１、物販サーバＳＶ２及びラジオ放送情報配信サーバＳＶ３に直接アクセスして実行されるユーザ認証処理（以下、これを直接アクセス認証処理と呼ぶ）もある。
【０１５９】
ただし間接アクセス認証処理については、クライアント端末２と、音楽データ配信サーバＳＶ１、物販サーバＳＶ２及びラジオ放送情報配信サーバＳＶ３とが何れの組合せであっても同様の手順で実行することができる。
【０１６０】
また直接アクセス認証処理についても、クライアント端末２と、音楽データ配信サーバＳＶ１、物販サーバＳＶ２及びラジオ放送情報配信サーバＳＶ３とが何れの組合せであっても同様の手順で実行することができる。
【０１６１】
そして間接アクセス認証処理及び直接アクセス認証処理では、クライアント端末２において音楽データ配信サーバＳＶ１、物販サーバＳＶ２及びラジオ放送情報配信サーバＳＶ３へのアクセスに使用するＵＲＬ情報の取得の仕方のみが異なるだけで、当該ＵＲＬ情報の取得以降には、間接アクセス認証処理及び直接アクセス認証処理の両方ともに同様の手順で実行することができる。
【０１６２】
従って以下には、クライアント端末２のアクセス先として、説明を簡略化するうえで音楽データ配信サーバＳＶ１を代表として用い、さらに間接アクセス認証処理及び直接アクセス認証処理をまとめて１つのユーザ認証処理として説明する。
【０１６３】
まず、ステップＳＰ１０において、クライアント端末２の制御部２３は、ページ情報にリンクとして埋め込まれたＵＲＬ情報、又はすでにブックマークとして登録しているＵＲＬ情報等に従って、音楽データ配信用のページ情報（他の物販サーバＳＶ２やラジオ放送情報配信サーバＳＶ３では、パッケージメディア販売用のページ情報やオンエアリスト情報配信用のページ情報等となる）を取得要求するページ情報取得要求信号と共に、認証情報記憶部３８から読み出したサービスセッションＩＤ情報等を通信制御部３２及びネットワークインタフェース３３を順次介して音楽データ配信サーバＳＶ１に送信する。
【０１６４】
因みにサービスセッションＩＤ情報は、クライアント端末２と音楽データ配信サーバＳＶ１、物販サーバＳＶ２及びラジオ放送情報配信サーバＳＶ３とがユーザ認証処理等の各種処理の実行用に通信接続する毎に、個々の通信接続状態（すなわち、セッション）の識別用として、クライアント端末２がアクセスした音楽データ配信サーバＳＶ１、物販サーバＳＶ２及びラジオ放送情報配信サーバＳＶ３によって発行される識別情報である。
【０１６５】
なおかかるサービスセッションＩＤ情報については、上述した認証セッションＩＤ情報と同様に、ユーザ認証処理等に利用するうえで音楽データ配信サーバＳＶ１、物販サーバＳＶ２及びラジオ放送情報配信サーバＳＶ３による発行時点を基準とした所定の有効期限（例えば１分程度）が設定されている。
【０１６６】
従って各サーバＳＶ１乃至ＳＶ３からサービスセッションＩＤ情報を取得したクライアント端末２は、そのサービスセッションＩＤ情報を有効期限以内に発行元の音楽データ配信サーバＳＶ１、物販サーバＳＶ２及びラジオ放送情報配信サーバＳＶ３に対して提示することができない場合、これら発行元の音楽データ配信サーバＳＶ１、物販サーバＳＶ２及びラジオ放送情報配信サーバＳＶ３により、当該サービスセッションＩＤ情報で特定される通信接続状態が切断されたと判断される。
【０１６７】
これにより音楽データ配信サーバＳＶ１、物販サーバＳＶ２及びラジオ放送情報配信サーバＳＶ３は、過去に発行したサービスセッションＩＤ情報が、音楽関連サービス提供システム１の運営業者と契約してはいないユーザによりユーザ認証処理等に対し不当に利用されることを防止している。
【０１６８】
また認証情報記憶部３８に一時記憶されているサービスセッションＩＤ情報は、クライアント端末２と音楽データ配信サーバＳＶ１、物販サーバＳＶ２及びラジオ放送情報配信サーバＳＶ３とが以前にユーザ認証処理等の実行用に通信接続したとき、そのアクセス先の音楽データ配信サーバＳＶ１、物販サーバＳＶ２及びラジオ放送情報配信サーバＳＶ３によって発行されたものである。
【０１６９】
ステップＳＰ１１において、音楽データ配信サーバＳＶ１の制御部７０は、クライアント端末２から送信されたページ情報取得要求信号及びサービスセッションＩＤ情報等をネットワークインタフェース７３及び通信制御部７２を順次介して受信し、当該受信したサービスセッションＩＤ情報等を認証処理部７５に送出する。
【０１７０】
認証処理部７５は、制御部７０の制御のもと、クライアント端末２から受信されたサービスセッションＩＤ情報等と、認証情報記憶部７７にすでに一時記憶しているサービスセッションＩＤ情報等とを比較するようにしてユーザ認証処理を実行する。
【０１７１】
その結果、認証処理部７５は、例えばクライアント端末２から受信したサービスセッションＩＤ情報の有効期限がすでに切れていることにより、当該クライアント端末２を利用するユーザを正規ユーザであるとは認証することができないと、クライアント端末２からの音楽データ配信用のページ情報の取得要求が正当な要求ではないと判断する。
【０１７２】
そして制御部７０は、認証処理部７５によりクライアント端末２を利用するユーザが正規ユーザであると認証されないと、認証エラーを示す認証エラー情報と、音楽データ配信サーバＳＶ１を識別するショップコードとを通信制御部７２及びネットワークインタフェース７３を順次介してクライアント端末２に送信する。
【０１７３】
ステップＳＰ１２において、クライアント端末２の制御部２３は、音楽データ配信サーバＳＶ１から送信された認証エラー情報及びショップコードをネットワークインタフェース３３及び通信制御部３２を順次介して受信し、当該受信した認証エラー情報により、音楽データ配信サーバＳＶ１においてユーザが正規ユーザとして認証されなかったことを認識すると共に、その音楽データ配信サーバＳＶ１から受信したショップコードを認証情報記憶部３８に一時記憶する。
【０１７４】
そして制御部２３は、ポータルサーバ３に対して、音楽データ配信サーバＳＶ１にアクセスするための認証チケットを発行要求する認証チケット発行要求信号を生成し、当該生成した認証チケット発行要求信号を音楽データ配信サーバＳＶ１のショップコード、及びすでにポータルサーバ３から受信して認証情報記憶部３８に対し一時記憶している認証セッションＩＤ情報等と共に通信制御部３２及びネットワークインタフェース３３を順次介してポータルサーバ３に送信する。
【０１７５】
ステップＳＰ１３において、ポータルサーバ３の制御部５０は、クライアント端末２から送信された認証チケット発行要求信号、ショップコード及び認証セッションＩＤ情報等をネットワークインタフェース５３及び通信制御部５２を順次介して受信し、これらを認証処理部５６に送出する。
【０１７６】
これにより認証処理部５６は、制御部５０の制御のもと、そのクライアント端末２から受信された認証セッションＩＤ情報等と、認証情報記憶部５７に対しすでに一時記憶している認証セッションＩＤ情報等とを比較するようにしてユーザ認証処理を実行する。
【０１７７】
その結果、認証処理部５６は、例えばクライアント端末２から受信された認証セッションＩＤ情報の有効期限がすでに切れており、当該クライアント端末２を利用するユーザを正規ユーザであるとは認証することができないと、クライアント端末２からの認証チケットの発行要求が正当な要求ではないと判断する。
【０１７８】
そして制御部５０は、認証処理部５６によりクライアント端末２を利用するユーザが正規ユーザであると認証されないと、認証エラーを示す認証エラー情報を通信制御部５２及びネットワークインタフェース５３を順次介してクライアント端末２に送信する。
【０１７９】
これに対して認証処理部５６は、例えばクライアント端末２から受信した認証セッションＩＤ情報の有効期限が未だ切れてはいないことで、クライアント端末２を利用するユーザを正規ユーザであると認証すると、当該クライアント端末２からの認証チケットの発行要求が正当な要求であると判断する。
【０１８０】
そして制御部５０は、認証処理部５６により、クライアント端末２を利用するユーザが正規ユーザであると認証されると、後述するステップＳＰ１８に移る。
【０１８１】
ステップＳＰ１４において、クライアント端末２の制御部２３は、ポータルサーバ３から送信された認証エラー情報をネットワークインタフェース３３及び通信制御部３２を順次介して受信すると、認証情報記憶部３８に記憶されているユーザＩＤ情報及びパスワード情報等を読み出すと共に、当該読み出したユーザＩＤ情報及びパスワード情報等を通信制御部３２及びネットワークインタフェース３３を順次介してポータルサーバ３に送信する。
【０１８２】
ステップＳＰ１５において、ポータルサーバ３の制御部５０は、クライアント端末２から送信されたユーザＩＤ情報及びパスワード情報等をネットワークインタフェース５３及び通信制御部５２を順次介して受信し、当該受信したユーザＩＤ情報及びパスワード情報等を認証処理部５６に送出する。
【０１８３】
これにより認証処理部５６は、制御部５０の制御のもと、クライアント端末２から受信されたユーザＩＤ情報及びパスワード情報等が、顧客データベース部５４に登録されている顧客情報に含まれているか否かを検出するようにしてユーザ認証処理を実行する。
【０１８４】
その結果、認証処理部５６は、クライアント端末２を利用するユーザを正規ユーザであると認証すると、制御部５０の制御のもとポータル認証結果情報として、現時点のクライアント端末２とポータルサーバ３との通信接続状態に対する認証セッションＩＤ情報等を発行すると共に、当該クライアント端末２に対して発行した認証セッションＩＤ情報等を認証情報記憶部５７に一時記憶する。
【０１８５】
そして制御部５０は、認証処理部５６によりそのクライアント端末２に対して発行された認証セッションＩＤ情報等を通信制御部５２及びネットワークインタフェース５３を順次介してクライアント端末２に送信する。
【０１８６】
ステップＳＰ１６において、クライアント端末２の制御部２３は、ポータルサーバ３から送信された認証セッションＩＤ情報等をネットワークインタフェース３３及び通信制御部３２を順次介して受信し、当該受信した認証セッションＩＤ情報等を認証処理部３７により認証情報記憶部３８に一時記憶する。
【０１８７】
そして制御部２３は、再びポータルサーバ３に対して、認証チケットを発行要求する認証チケット発行要求信号を生成すると共に、当該生成した認証チケット発行要求信号を、認証情報記憶部３８にすでに一時記憶しているショップコード、及びこのとき一時記憶した認証セッションＩＤ情報等と共に通信制御部３２及びネットワークインタフェース３３を順次介してポータルサーバ３に送信する。
【０１８８】
ここで本実施の形態では、クライアント端末２において認証情報記憶部３８に対しショップコードを一時記憶しておいたが、これに限らず、当該クライアント端末２とポータルサーバ３との間でステップＳＰ１２乃至ステップＳＰ１６の処理を実行する際にショップコードを順次送受信することにより、クライアント端末２において認証情報記憶部３８に対しショップコードを一時記憶しなくてもステップＳＰ１６においてポータルサーバ３に対しショップコードを送信することが可能である。
【０１８９】
ステップＳＰ１７において、ポータルサーバ３の制御部５０は、クライアント端末２から送信された認証チケット発行要求信号、ショップコード及び認証セッションＩＤ情報等をネットワークインタフェース５３及び通信制御部５２を順次介して受信し、これらを認証処理部５６に送出する。
【０１９０】
これにより認証処理部５６は、制御部５０の制御のもと、そのクライアント端末２から受信された認証セッションＩＤ情報等と、認証情報記憶部５７にすでに一時記憶している認証セッションＩＤ情報等とを比較するようにしてユーザ認証処理を実行する。
【０１９１】
その結果、認証処理部５６は、例えばクライアント端末２から受信した認証セッションＩＤ情報等の有効期限が未だ切れてはいないために、クライアント端末２を利用するユーザを正規ユーザであると認証すると、当該クライアント端末２からの認証チケットの発行要求が正当な要求であると判断する。
【０１９２】
そして制御部５０は、認証処理部５６により、クライアント端末２を利用するユーザが正規ユーザであると認証されると、次のステップＳＰ１８に移る。
【０１９３】
ステップＳＰ１８において、認証処理部５６は、制御部５０の制御のもと、上述のステップＳＰ１７においてクライアント端末２から受信したショップコード及び認証チケット発行要求信号に基づいて、ポータル認証結果情報として、当該ショップコードの示す音楽データ配信サーバＳＶ１へのアクセスを可能にする認証チケット等を発行する。
【０１９４】
そして認証処理部５６は、制御部５０の制御のもと、その発行した認証チケット等を認証情報記憶部５７に一時記憶すると共に、クライアント端末２に対して発行していた認証セッションＩＤ情報等の有効期限を延長する。
【０１９５】
これにより制御部５０は、認証チケット等を、認証処理部５６により有効期限の延長された認証セッションＩＤ情報等と共に通信制御部５２及びネットワークインタフェース５３を順次介してクライアント端末２に送信する。
【０１９６】
ステップＳＰ１９において、クライアント端末２の制御部２３は、ポータルサーバ３から送信された認証チケット等と、有効期限の延長された認証セッションＩＤ情報等とをネットワークインタフェース３３及び通信制御部３２を順次介して受信し、当該受信した認証セッションＩＤ情報を認証処理部３７に送出する。
【０１９７】
そして制御部２３は、そのポータルサーバ３から受信した認証チケット等を認証要求信号と共に通信制御部３２及びネットワークインタフェース３３を順次介して音楽データ配信サーバＳＶ１に送信する。
【０１９８】
また認証処理部３７は、このとき制御部２３の制御のもとに認証情報記憶部３８において、ポータルサーバ３から受信された有効期限の延長されている認証セッションＩＤ情報等をその有効期限が延長される前の認証セッションＩＤ情報等に上書きするようにして一時記憶することにより、上述のステップＳＰ１６において一時記憶していた認証セッションＩＤ情報等を有効期限の延長された認証セッションＩＤ情報等に更新する。
【０１９９】
ステップＳＰ２０において、音楽データ配信サーバＳＶ１の制御部７０は、クライアント端末２から送信された認証要求信号及び認証チケット等をネットワークインタフェース７３及び通信制御部７２を順次介して受信する。
【０２００】
そして制御部７０は、そのクライアント端末２から受信した認証チケット等を当該認証チケット等の確認を要求する認証チケット確認要求信号と共に通信制御部７２及びネットワークインタフェース７３を順次介してポータルサーバ３に送信する。
【０２０１】
ステップＳＰ２１において、ポータルサーバ３の制御部５０は、音楽データ配信サーバＳＶ１から送信された認証チケット確認要求信号及び認証チケット等をネットワークインタフェース５３及び通信制御部５２を順次介して受信し、当該受信した認証チケット確認要求信号及び認証チケット等を認証処理部５６に送出する。
【０２０２】
そして認証処理部５６は、制御部５０の制御のもと認証チケット確認要求信号に応じて、その音楽データ配信サーバＳＶ１から受信された認証チケット等と、認証情報記憶部５７にすでに一時記憶している認証チケット等とを比較するようにして、当該音楽データ配信サーバＳＶ１から受信した認証チケットに対する確認処理を実行する。
【０２０３】
その結果、制御部５０は、認証処理部５６により、音楽データ配信サーバＳＶ１から受信した認証チケット等が正規の認証チケット等であると確認されると、当該認証チケット等を正規の認証チケット等であると確認したことを示す確認結果情報を通信制御部５２及びネットワークインタフェース５３を順次介して音楽データ配信サーバＳＶ１に送信する。
【０２０４】
ステップＳＰ２２において、音楽データ配信サーバＳＶ１の制御部７０は、ポータルサーバ３から送信された確認結果情報をネットワークインタフェース７３及び通信制御部７２を順次介して受信し、当該受信した確認結果情報を認証処理部７５に送出する。
【０２０５】
これにより認証処理部７５は、制御部７０の制御のもとにその確認結果情報に応じ、サーバ認証結果情報として、現時点のクライアント端末２と音楽データ配信サーバＳＶ１との通信接続状態に対するサービスセッションＩＤ情報等を発行すると共に、当該発行したサービスセッションＩＤ情報等を認証情報記憶部７７に一時記憶する。
【０２０６】
また制御部７０は、認証処理部７５によりそのクライアント端末２に対して発行されたサービスセッションＩＤ情報等を通信制御部７２及びネットワークインタフェース７３を順次介してクライアント端末２に送信する。
【０２０７】
ステップＳＰ２３において、クライアント端末２の制御部２３は、音楽データ配信サーバＳＶ１から送信されたサービスセッションＩＤ情報等をネットワークインタフェース３３及び通信制御部３２を順次介して受信し、当該受信したサービスセッションＩＤ情報等を認証処理部３７により認証情報記憶部３８に一時記憶させる。
【０２０８】
これにより制御部２３は、音楽データ配信用のページ情報を要求するページ情報取得要求信号を、音楽データ配信サーバＳＶ１から受信して認証情報記憶部３８に一時記憶させたサービスセッションＩＤ情報等と共に通信制御部３２及びネットワークインタフェース３３を順次介して音楽データ配信サーバＳＶ１に送信する。
【０２０９】
ステップＳＰ２４において、音楽データ配信サーバＳＶ１の制御部７０は、クライアント端末２から送信されたページ情報取得要求信号及びサービスセッションＩＤ情報等をネットワークインタフェース７３及び通信制御部７２を順次介して受信し、当該受信したサービスセッションＩＤ情報等を認証処理部７５に送出する。
【０２１０】
これにより認証処理部７５は、制御部７０の制御のもと、クライアント端末２から受信されたサービスセッションＩＤ情報等と、上述のステップＳＰ２２においてすでにクライアント端末２に対し発行して認証情報記憶部７７に一時記憶していたサービスセッションＩＤ情報等とを比較するようにしてユーザ認証処理を実行する。
【０２１１】
その結果、認証処理部７５は、例えばクライアント端末２から受信したサービスセッションＩＤ情報等の有効期限が未だ切れてはいないために、そのクライアント端末２を利用するユーザを正規ユーザであると認証すると、当該クライアント端末２からの音楽データ配信用のページ情報の取得要求が正当な要求であると判断する。
【０２１２】
そして制御部７０は、認証処理部７５により、クライアント端末２を利用するユーザが正規ユーザであると認証されると、次のステップＳＰ２５に移る。
【０２１３】
ステップＳＰ２５において、制御部７０は、ページ情報記憶部７６から、ユーザにより取得要求された音楽データ配信用のページ情報を読み出すと共に、認証処理部７５により、クライアント端末２に対して発行していたサービスセッションＩＤ情報等の有効期限を延長させる。
【０２１４】
そして制御部７０は、そのページ情報記憶部７６から読み出した音楽データ配信用のページ情報を、認証処理部７５により有効期限を延長させたサービスセッションＩＤ情報等と共に通信制御部７２及びネットワークインタフェース７３を順次介してクライアント端末２に送信する。
【０２１５】
ステップＳＰ２６において、クライアント端末２の制御部２３は、音楽データ配信サーバＳＶ１から送信された音楽データ配信用のページ情報と、有効期限の延長されたサービスセッションＩＤ情報等とをネットワークインタフェース３３及び通信制御部３２を順次介して受信し、当該受信した音楽データ配信用のページ情報をページ情報生成部３６に送出すると共に、その音楽データ配信サーバＳＶ１から受信したサービスセッションＩＤ情報等を認証処理部３７に送出する。
【０２１６】
これにより認証処理部３７は、制御部２３の制御のもと認証情報記憶部３８において、音楽データ配信サーバＳＶ１から受信された有効期限の延長されているサービスセッションＩＤ情報等をその有効期限が延長される前のサービスセッションＩＤ情報等に上書きするようにして一時記憶することにより、上述のステップＳＰ２３において一時記憶していたサービスセッションＩＤ情報等を有効期限の延長されたサービスセッションＩＤ情報等に更新する。
【０２１７】
またページ情報生成部３６は、音楽データ配信用のページ情報に基づく映像データを生成し、当該生成した映像データを表示制御部２４に送出する。
【０２１８】
これにより表示制御部２４は、ページ情報生成部３６から与えられた映像データに対しディジタルアナログ変換処理を施し、得られたアナログ映像信号を表示部２５に送出することにより当該表示部２５にそのアナログ映像信号に基づく映像として音楽データ配信用のページを表示する。
【０２１９】
（１−７−３）音楽関連サービス提供処理
続いて図１０乃至図１３において、図９について上述したクライアント端末２と、音楽データ配信サーバＳＶ１、物販サーバＳＶ２及びラジオ放送情報配信サーバＳＶ３との間で実行されたユーザ認証処理手順の終了後に、当該ユーザ認証処理手順においてクライアント端末２が音楽データ配信サーバＳＶ１、物販サーバＳＶ２及びラジオ放送情報配信サーバＳＶ３から取得した音楽データ配信用のページ情報、パッケージメディア販売用のページ情報及びオンエアリスト情報配信用のページ情報等を利用して音楽データ配信サービス、物販サービス及びラジオ放送情報配信サービスの提供を受ける際の音楽関連サービス提供処理について説明する。
【０２２０】
（１−７−３−１）音楽データ配信サービス提供処理手順
まず図１０を用いてクライアント端末２が、音楽データ配信サーバＳＶ１から音楽データ配信サービスの提供を受ける際の音楽データ配信サービス提供処理手順について説明する。
【０２２１】
ステップＳＰ３０において、クライアント端末２の制御部２３は、表示部２５に映像として表示された音楽データ配信用のページの一部を選択する制御コマンドが入力処理部２１から入力されると、当該入力された制御コマンドに応じて、ダウンロード希望の音楽データをダウンロード要求するダウンロード要求信号を生成する。
【０２２２】
そして制御部２３は、そのダウンロード要求信号を、すでに音楽データ配信サーバＳＶ１で発行され認証情報記憶部３８に対し一時記憶されているサービスセッションＩＤ情報等と共に通信制御部３２及びネットワークインタフェース３３を順次介して音楽データ配信サーバＳＶ１に送信する。
【０２２３】
ステップＳＰ３１において、音楽データ配信サーバＳＶ１の制御部７０は、クライアント端末２から送信されたダウンロード要求信号と、サービスセッションＩＤ情報等とをネットワークインタフェース７３及び通信制御部７２を順次介して受信し、当該受信したサービスセッションＩＤ情報等を認証処理部７５に送出する。
【０２２４】
これにより認証処理部７５は、制御部７０の制御のもと、クライアント端末２から受信されたサービスセッションＩＤ情報等と、認証情報記憶部７７に対しすでに一時記憶しているサービスセッションＩＤ情報等とを比較するようにしてユーザ認証処理を実行する。
【０２２５】
その結果、制御部７０は、認証処理部７５により、クライアント端末２を利用して音楽データのダウンロードを要求したユーザが正規ユーザであると認証されると、次のステップＳＰ３２に移る。
【０２２６】
ステップＳＰ３２において、検索部７９は、ダウンロード要求信号に格納されている検索キーに基づいて、音楽データ記憶部７８内の複数の音楽データの中から当該検索キーの示す検索条件に該当するダウンロード希望の音楽データを検索する。
【０２２７】
そして制御部７０は、検索部７９により音楽データが検索されると、認証処理部７５により、クライアント端末２に対し発行していたサービスセッションＩＤ情報等の有効期限を延長させて、次のステップＳＰ３３に移る。
【０２２８】
ステップＳＰ３３において制御部７０は、音楽データ記憶部７８から、検索部７９によって検索されたダウンロード希望の音楽データを読み出すと共に、当該読み出したダウンロード希望の音楽データを、認証処理部７５により有効期限の延長されたサービスセッションＩＤ情報等と共に通信制御部７２及びネットワークインタフェース７３を順次介してクライアント端末２に送信する。
【０２２９】
ステップＳＰ３４において、クライアント端末２の制御部２３は、音楽データ配信サーバＳＶ１から送信されたダウンロード希望の音楽データと、有効期限の延長されたサービスセッションＩＤ情報等とをネットワークインタフェース３３及び通信制御部３２を順次介して受信し、当該受信した音楽データを記憶媒体２９に記憶すると共に、その音楽データ配信サーバＳＶ１から受信したサービスセッションＩＤ情報等を認証処理部３７に送出する。
【０２３０】
認証処理部３７は、制御部２３の制御のもと認証情報記憶部３８において、音楽データ配信サーバＳＶ１から受信された有効期限の延長されているサービスセッションＩＤ情報等をその有効期限が延長される前のサービスセッションＩＤ情報等に上書きするようにして一時記憶することにより、当該認証情報記憶部３８に対しすでに一時記憶しているサービスセッションＩＤ情報等の内容を更新する。
【０２３１】
このようにしてクライアント端末２は、音楽データ配信サーバＳＶ１の提供している音楽データ配信サービスを利用して、ユーザにより取得の希望された音楽データをダウンロードすることができる。
【０２３２】
（１−７−３−２）物販サービス提供処理手順
次に図１１を用いてクライアント端末２が、物販サーバＳＶ２から物販サービスの提供を受ける際の物販サービス提供処理手順について説明する。
【０２３３】
ステップＳＰ４０において、クライアント端末２の制御部２３は、表示部２５に映像として表示されたパッケージメディア販売用のページの一部を選択する制御コマンドが入力処理部２１から入力されると、当該入力された制御コマンドに応じた特定のパッケージメディアに関するパッケージメディア情報を要求するメディア情報要求信号を生成する。
【０２３４】
そして制御部２３は、そのメディア情報要求信号を、すでに物販サーバＳＶ２で発行され認証情報記憶部３８に対し一時記憶されているサービスセッションＩＤ情報等と共に通信制御部３２及びネットワークインタフェース３３を順次介して物販サーバＳＶ２に送信する。
【０２３５】
ステップＳＰ４１において、物販サーバＳＶ２の制御部９０は、クライアント端末２から送信されたメディア情報要求信号と、サービスセッションＩＤ情報等とをネットワークインタフェース９３及び通信制御部９２を順次介して受信し、当該受信したサービスセッションＩＤ情報等を認証処理部９５に送出する。
【０２３６】
認証処理部９５は、制御部９０の制御のもと、クライアント端末２から受信されたサービスセッションＩＤ情報等と、認証情報記憶部９７に対しすでに一時記憶しているサービスセッションＩＤ情報等とを比較するようにしてユーザ認証処理を実行する。
【０２３７】
その結果、制御部９０は、認証処理部９５により、クライアント端末２を利用してパッケージメディアに関するパッケージメディア情報を要求したユーザが正規ユーザであると認証されると、次のステップＳＰ４２に移る。
【０２３８】
ステップＳＰ４２において、検索部９９は、メディア情報要求信号に格納されている検索キーに基づいて、パッケージメディア情報記憶部９８内の複数のパッケージメディア情報の中から当該検索キーの示す検索条件に該当する特定のパッケージメディアのパッケージメディア情報を検索する。
【０２３９】
そして制御部９０は、検索部９９によりパッケージメディア情報が検索されると、認証処理部９５により、クライアント端末２に対し発行していたサービスセッションＩＤ情報等の有効期限を延長させて、次のステップＳＰ４３に移る。
【０２４０】
そしてステップＳＰ４３において制御部９０は、パッケージメディア情報記憶部９８から、検索部９９によって検索されたパッケージメディア情報を読み出すと共に、当該読み出したパッケージメディア情報を、認証処理部９５により有効期限の延長されたサービスセッションＩＤ情報等と共に通信制御部９２及びネットワークインタフェース９３を順次介してクライアント端末２に送信する。
【０２４１】
ステップＳＰ４４において、クライアント端末２の制御部２３は、物販サーバＳＶ２から送信されたパッケージメディア情報と、有効期限の延長されたサービスセッションＩＤ情報等とをネットワークインタフェース３３及び通信制御部３２を順次介して受信し、当該受信したパッケージメディア情報をページ情報生成部３６に送出すると共に、その物販サーバＳＶ２から受信したサービスセッションＩＤ情報等を認証処理部３７に送出する。
【０２４２】
認証処理部３７は、制御部２３の制御のもと認証情報記憶部３８において、物販サーバＳＶ２から受信された有効期限の延長されているサービスセッションＩＤ情報等をその有効期限が延長される前のサービスセッションＩＤ情報等に上書きするようにして一時記憶することにより、当該認証情報記憶部３８に対しすでに一時記憶しているサービスセッションＩＤ情報等の内容を更新する。
【０２４３】
またページ情報生成部３６は、制御部２３から与えられたパッケージメディア情報に基づいて映像データを生成し、当該生成した映像データを表示制御部２４によりアナログ映像信号に変換して表示部２５に送出する。
【０２４４】
このようにして制御部２３は、表示部２５に対しそのアナログ映像信号に基づく映像としてパッケージメディア情報を表示させると、次のステップＳＰ４５に移る。
【０２４５】
ステップＳＰ４５において、制御部２３は、表示部２５に映像として表示させたパッケージメディア情報に対応するパッケージメディアを購入要求する制御コマンドが入力処理部２１から入力されると、当該入力された制御コマンドに応じてそのパッケージメディアを購入要求する購入要求信号を生成する。
【０２４６】
そして制御部２３は、その購入要求信号を、すでに物販サーバＳＶ２から受信して認証情報記憶部３８に対し一時記憶されているサービスセッションＩＤ情報等（すなわち、有効期限の延長されたサービスセッションＩＤ情報等）と共に通信制御部３２及びネットワークインタフェース３３を順次介して物販サーバＳＶ２に送信する。
【０２４７】
ステップＳＰ４６において、物販サーバＳＶ２の制御部９０は、クライアント端末２から送信された購入要求信号と、サービスセッションＩＤ情報等とをネットワークインタフェース９３及び通信制御部９２を順次介して受信し、当該受信したサービスセッションＩＤ情報等を認証処理部９５に送出する。
【０２４８】
認証処理部９５は、制御部９０の制御のもと、クライアント端末２から受信されたサービスセッションＩＤ情報等と、認証情報記憶部９７に対しすでに一時記憶しているサービスセッションＩＤ情報等とを比較するようにしてユーザ認証処理を実行する。
【０２４９】
その結果、制御部９０は、認証処理部９５により、クライアント端末２を利用してパッケージメディアの購入を要求したユーザが正規ユーザであると認証されると、次のステップＳＰ４７に移る。
【０２５０】
ステップＳＰ４７において、制御部９０は、クライアント端末２を利用するユーザに対し、購入要求されたパッケージメディアを引き渡すための手続等の購入処理を実行すると共に、当該パッケージメディアの購入に伴うユーザに対する課金処理用の課金情報を通信制御部９２及びネットワークインタフェース９３を順次介して課金サーバＳＶ５に送信することにより、その課金サーバＳＶ５に対し当該ユーザに対するパッケージメディアの購入に応じた課金処理を実行させる。
【０２５１】
また制御部９０は、認証処理部９５により、クライアント端末２に対し発行していたサービスセッションＩＤ情報等の有効期限を延長させる。
【０２５２】
ステップＳＰ４８において、制御部９０は、課金処理終了後、パッケージメディアの購入処理が完了したことを示す購入完了ページ情報を、認証処理部９５により有効期限の延長されたサービスセッションＩＤ情報等と共に通信制御部９２及びネットワークインタフェース９３を順次介してクライアント端末２に送信する。
【０２５３】
ステップＳＰ４９において、クライアント端末２の制御部２３は、物販サーバＳＶ２から送信された購入完了ページ情報と、有効期限の延長されたサービスセッションＩＤ情報等とをネットワークインタフェース３３及び通信制御部３２を順次介して受信し、当該受信した購入完了ページ情報をページ情報生成部３６に送出すると共に、その物販サーバＳＶ２から受信したサービスセッションＩＤ情報等を認証処理部３７に送出する。
【０２５４】
認証処理部３７は、制御部２３の制御のもと認証情報記憶部３８において、物販サーバＳＶ２から受信された有効期限の延長されているサービスセッションＩＤ情報等をその有効期限が延長される前のサービスセッションＩＤ情報等に上書きするようにして一時記憶することにより、当該認証情報記憶部３８に対しすでに一時記憶しているサービスセッションＩＤ情報等の内容を更新する。
【０２５５】
またページ情報生成部３６は、制御部２３から与えられた購入完了ページ情報に基づく映像データを生成し、当該生成した映像データを表示制御部２４によりアナログ映像信号に変換して表示部２５に送出する。
【０２５６】
これにより制御部２３は、表示部２５に対しそのアナログ映像信号に基づく映像として購入完了ページを表示させる。
【０２５７】
このようにしてクライアント端末２は、物販サーバＳＶ２の提供している物販サービスを利用して、ユーザに対して所望のパッケージメディアを購入させることができる。
【０２５８】
（１−７−３−３）オンエアリスト情報配信サービス提供処理手順
次に図１２を用いてクライアント端末２が、ラジオ放送情報配信サーバＳＶ３からラジオ放送情報配信サービスとして特にオンエアリスト情報配信サービスの提供を受ける際のラジオ放送情報配信サービス提供処理手順について説明する。
【０２５９】
ステップＳＰ６０において、クライアント端末２の制御部２３は、表示部２５に映像として表示させたオンエアリスト情報配信用のページ上で入力ボックスに対し取得希望のオンエアリスト情報検索用の検索キーが入力され、当該入力された検索キーを示す文字列に対応する制御コマンドが入力処理部２１から入力されると、当該入力された制御コマンドに応じて、取得希望のオンエアリスト情報をダウンロード要求するオンエアリスト情報要求信号を生成する。
【０２６０】
そして制御部２３は、そのオンエアリスト情報要求信号を、すでにラジオ放送情報配信サーバＳＶ３で発行され認証情報記憶部３８に対し一時記憶されているサービスセッションＩＤ情報等と共に通信制御部３２及びネットワークインタフェース３３を順次介してラジオ放送情報配信サーバＳＶ３に送信する。
【０２６１】
ステップＳＰ６１において、ラジオ放送情報配信サーバＳＶ３の制御部１１０は、クライアント端末２から送信されたオンエアリスト情報要求信号と、サービスセッションＩＤ情報等とをネットワークインタフェース１１３及び通信制御部１１２を順次介して受信し、当該受信したサービスセッションＩＤ情報等を認証処理部１１５に送出する。
【０２６２】
認証処理部１１５は、制御部１１０の制御のもと、クライアント端末２から受信されたサービスセッションＩＤ情報等と、認証情報記憶部１２０に対しすでに一時記憶しているサービスセッションＩＤ情報等とを比較するようにしてユーザ認証処理を実行する。
【０２６３】
その結果、制御部１１０は、認証処理部１１５により、クライアント端末２を利用してオンエアリスト情報を要求したユーザが正規ユーザであると認証されると、次のステップＳＰ６２に移る。
【０２６４】
ステップＳＰ６２において、検索部１１８は、オンエアリスト情報要求信号に格納されている検索キーに基づいて、オンエアリスト情報記憶部１１７内のオンエアリスト情報全体に対し、当該検索キーの示す検索条件に該当する所定範囲部分を取得希望のオンエアリスト情報として検索する。
【０２６５】
そして制御部１１０は、検索部１１８によりオンエアリスト情報が検索されると、認証処理部１１５により、クライアント端末２に対し発行していたサービスセッションＩＤ情報等の有効期限を延長させて、次のステップＳＰ６３に移る。
【０２６６】
そしてステップＳＰ６３において制御部１１０は、オンエアリスト情報記憶部１１７から、検索部１１８によって検索されたオンエアリスト情報を読み出すと共に、当該読み出したオンエアリスト情報を、認証処理部１１５により有効期限の延長されたサービスセッションＩＤ情報等と共に通信制御部１１２及びネットワークインタフェース１１３を順次介してクライアント端末２に送信する。
【０２６７】
ステップＳＰ６４において、クライアント端末２の制御部２３は、ラジオ放送情報配信サーバＳＶ３から送信されたオンエアリスト情報と、有効期限の延長されたサービスセッションＩＤ情報等とをネットワークインタフェース３３及び通信制御部３２を順次介して受信し、当該受信したオンエアリスト情報をページ情報生成部３６に送出すると共に、そのラジオ放送情報配信サーバＳＶ３から受信したサービスセッションＩＤ情報等を認証処理部３７に送出する。
【０２６８】
認証処理部３７は、制御部２３の制御のもと認証情報記憶部３８において、ラジオ放送情報配信サーバＳＶ３から受信された有効期限の延長されているサービスセッションＩＤ情報等をその有効期限が延長される前のサービスセッションＩＤ情報等に上書きするようにして一時記憶することにより、当該認証情報記憶部３８に対しすでに一時記憶しているサービスセッションＩＤ情報等の内容を更新する。
【０２６９】
またページ情報生成部３６は、制御部２３から与えられたオンエアリスト情報に基づいて映像データを生成し、当該生成した映像データを表示制御部２４によりアナログ映像信号に変換して表示部２５に送出することにより当該表示部２５に対しそのアナログ映像信号に基づく映像としてオンエアリスト情報を表示させる。
【０２７０】
このようにしてクライアント端末２は、ラジオ放送情報配信サーバＳＶ３の提供しているラジオ放送情報配信サービスを利用して、ユーザに対して所望のオンエアリスト情報を取得させることができる。
【０２７１】
（１−７−３−４）ナウオンエア情報配信サービス提供処理手順
次に図１３を用いてクライアント端末２が、ラジオ放送情報配信サーバＳＶ３からラジオ放送情報配信サービスとして特にナウオンエア情報配信サービスの提供を受ける際のラジオ放送情報配信サービス提供処理手順について説明する。
【０２７２】
ただしナウオンエア情報を提供するラジオ放送情報配信サーバＳＶ３は、ラジオ局（コールサイン）毎に設けられている。
【０２７３】
そしてクライアント端末２には、初期状態において、各ラジオ局に対応するラジオ放送情報配信サーバＳＶ３のＵＲＬ情報が記憶されていない場合がある。
【０２７４】
そのため以下のラジオ放送情報配信サービス提供処理手順については、各ラジオ放送情報配信サーバＳＶ３のＵＲＬ情報をラジオ局のコールサイン毎にポータルサーバ３が管理している場合を例に挙げて説明する。
【０２７５】
またかかるラジオ放送情報配信サービス提供処理手順では、クライアント端末２が、ラジオ局毎の放送周波数を自動プリセットするためにポータルサーバ３に対して当該放送周波数を示す周波数情報を要求するときに、認証情報記憶部３８に対し認証セッションＩＤ情報等を一時記憶してはいない場合を想定している。このため、まずクライアント端末２は、ポータルサーバ３に対しユーザＩＤ情報及びパスワード情報等を送信することになる。
【０２７６】
ステップＳＰ７０において、クライアント端末２の制御部２３は、入力処理部２１から各ラジオ局の放送周波数を自動プリセットするように要求する操作コマンドが入力されると、これに応じて各ラジオ局の受信可能な放送周波数の周波数情報を取得要求する周波数情報要求信号を、ユーザにより入力された地域コードと、認証情報記憶部３８に記憶されているユーザＩＤ情報及びパスワード情報等と共に通信制御部３２及びネットワークインタフェース３３を順次介してポータルサーバ３に送信する。
【０２７７】
ステップＳＰ７１において、ポータルサーバ３の制御部５０は、クライアント端末２から送信された周波数情報要求信号、地域コード、ユーザＩＤ情報及びパスワード情報等をネットワークインタフェース５３及び通信制御部５２を順次介して受信し、そのクライアント端末２から受信したユーザＩＤ情報及びパスワード情報等を認証処理部５６に送出する。
【０２７８】
認証処理部５６は、制御部５０の制御のもと、クライアント端末２から受信されたユーザＩＤ情報及びパスワード情報等と、顧客データベース部５４に登録している顧客情報とを比較するようにしてユーザ認証処理を実行する。
【０２７９】
その結果、認証処理部５６は、クライアント端末２を利用するユーザを正規ユーザであると認証し、当該クライアント端末２からの周波数情報の取得要求が正当な要求であると判断すると、制御部５０の制御のもと、現時点のクライアント端末２とポータルサーバ３との通信接続状態に対する認証セッションＩＤ情報等を発行し、当該発行した認証セッションＩＤ情報等を認証情報記憶部５７に一時記憶する。
【０２８０】
そして制御部５０は、このように認証処理部５６によりユーザが正規ユーザであると認証されると、次のステップＳＰ７２に移る。
【０２８１】
ステップＳＰ７２において、制御部５０は、クライアント端末２から受信した地域コードに基づいて、周波数情報記憶部５８内の複数の周波数情報、ラジオ局名及びコールサインのリストの中から当該地域コードに対応する周波数情報、ラジオ局名及びコールサインを検索してリスト化し読み出す。
【０２８２】
これにより制御部５０は、周波数情報記憶部５８からリスト化して読み出した周波数情報、ラジオ局名及びコールサインを、上述のステップＳＰ７１において認証処理部５６によりクライアント端末２に対して発行された認証セッションＩＤ情報等と共に通信制御部５２及びネットワークインタフェース５３を順次介してクライアント端末２に送信する。
【０２８３】
ステップＳＰ７３において、クライアント端末２の制御部２３は、ポータルサーバ３から送信された周波数情報、ラジオ局名及びコールサインのリストと、認証セッションＩＤ情報等とをネットワークインタフェース３３及び通信制御部３２を順次介して受信し、当該ポータルサーバ３から受信した認証セッションＩＤ情報等を認証処理部３７に送出すると共に、周波数情報、ラジオ局名及びコールサインのリストを表示制御部２４に送出する。
【０２８４】
これにより認証処理部３７は、制御部２３の制御のもと、ポータルサーバ３から受信された認証セッションＩＤ情報等を認証情報記憶部３８に一時記憶する。
【０２８５】
また表示制御部２４は、制御部２３から与えられた周波数情報、ラジオ局名及びコールサインのリストを表示部２５に送出することにより当該表示部２５に対しそのリストを表示させる。
【０２８６】
さらに制御部２３は、このとき入力処理部２１から入力される選択コマンドに基づき、選択された周波数情報、ラジオ局名及びコールサインを記憶媒体２９にプリセットとして記憶して、次のステップＳＰ７４に移る。
【０２８７】
ステップＳＰ７４において、制御部２３は、入力処理部２１から入力されるチューニング制御コマンドに応じて、チューナ部３１を、ラジオ放送波の中からチューニング制御コマンドに対応する放送周波数で放送されているラジオ放送のラジオ放送信号を抽出するように制御する。
【０２８８】
これによりチューナ部３１は、放送信号受信部３０により受信されたラジオ放送波の中から、その放送周波数で放送されているラジオ放送信号を抽出して復号等の所定の受信処理を施し、この結果得られた音声データを音声制御部２６に送出する。
【０２８９】
従って音声制御部２６は、チューナ部３１から与えられる音声データをアナログ音声信号に変換してスピーカ２７に送出することにより当該スピーカ２７から、選択されたラジオ番組の音声を出力させることができる。
【０２９０】
ステップＳＰ７５において、ラジオ放送表示制御部３９は、制御部２３の制御のもと、記憶媒体２９から、上述のチューニング制御コマンドに対応する放送周波数を示す周波数情報に対応して記憶されているコールサインを読み出すと共に、当該読み出したコールサインを、認証情報記憶部３８に対しすでに一時記憶されている認証セッションＩＤ情報等と共に通信制御部３２及びネットワークインタフェース３３を順次介してポータルサーバ３に送信する。
【０２９１】
ステップＳＰ７６において、ポータルサーバ３の制御部５０は、クライアント端末２から送信されたコールサイン及び認証セッションＩＤ情報等をネットワークインタフェース５３及び通信制御部５２を順次介して受信し、当該受信した認証セッションＩＤ情報等を認証処理部５６に送出する。
【０２９２】
認証処理部５６は、制御部５０の制御のもと、クライアント端末２から受信された認証セッションＩＤ情報等と、認証情報記憶部５７に対しすでに一時記憶している認証セッションＩＤ情報等とを比較するようにしてユーザ認証処理を実行する。
【０２９３】
その結果、制御部５０は、認証処理部５６により、クライアント端末２から受信した認証セッションＩＤ情報等が有効期限内のものであり、当該クライアント端末２を利用してコールサインを送信したユーザが正規ユーザであると認証されると、次のステップＳＰ７７に移る。
【０２９４】
ステップＳＰ７７において、制御部５０は、クライアント端末２から受信したコールサインに基づいて、ＵＲＬ記憶部５９内の複数のＵＲＬ情報の中から当該コールサインに対応付けられたＵＲＬ情報を検索する。
【０２９５】
また制御部５０は、認証処理部５６により、クライアント端末２に対し発行していた認証セッションＩＤ情報等の有効期限を延長させる。
【０２９６】
そして制御部５０は、ＵＲＬ記憶部５９から、その検索したＵＲＬ情報を読み出すと共に、当該読み出したＵＲＬ情報を、認証処理部５６により有効期限の延長された認証セッションＩＤ情報等と共に通信制御部５２及びネットワークインタフェース５３を順次介してクライアント端末２に送信する。
【０２９７】
ステップＳＰ７８において、クライアント端末２の制御部２３は、ポータルサーバ３から送信されたＵＲＬ情報と、有効期限の延長された認証セッションＩＤ情報等とをネットワークインタフェース３３及び通信制御部３２を順次介して受信し、当該受信した認証セッションＩＤ情報等を認証処理部３７に送出すると共に、ＵＲＬ情報をラジオ放送表示制御部３９に送出する。
【０２９８】
認証処理部３７は、制御部２３の制御のもと認証情報記憶部３８において、ポータルサーバ３から受信された有効期限の延長されている認証セッションＩＤ情報等をその有効期限が延長される前の認証セッションＩＤ情報等に上書きするようにして一時記憶することにより、当該認証情報記憶部３８に対しすでに一時記憶している認証セッションＩＤ情報等の内容を更新する。
【０２９９】
またラジオ放送表示制御部３９は、制御部２３の制御のもとに、当該制御部２３から与えられたＵＲＬ情報を、記憶媒体２９に記憶しているコールサインに対応付けて記憶媒体２９等に一時記憶する。
【０３００】
そしてラジオ放送表示制御部３９は、制御部２３の制御のもとに、記憶媒体２９等に一時記憶したＵＲＬ情報に従って、ナウオンエア情報を取得要求するナウオンエア情報要求信号を、すでにラジオ放送情報配信サーバＳＶ３から受信され認証情報記憶部３８に対し一時記憶されているサービスセッションＩＤ情報等と共に通信制御部３２及びネットワークインタフェース３３を順次介してラジオ放送情報配信サーバＳＶ３に送信する。
【０３０１】
ここでかかるラジオ放送情報配信サービス提供処理手順では、ステップＳＰ７８においてクライアント端末２からナウオンエア情報要求信号及びサービスセッションＩＤ情報等をラジオ放送情報配信サーバＳＶ３に送信する処理が、図９について上述したステップＳＰ１０の処理に対応している。
【０３０２】
従ってこのラジオ放送情報配信サービス提供処理手順では、ステップＳＰ７８の処理に引き続き、クライアント端末２及びラジオ放送情報配信サーバＳＶ３並びにポータルサーバ３において、図９について上述したステップＳＰ１１乃至ステップＳＰ１３及びステップＳＰ１８乃至ステップＳＰ２２と同様のユーザ認証処理を順次実行した後、続くステップＳＰ７９に移る。
【０３０３】
ステップＳＰ７９において、クライアント端末２のラジオ放送表示制御部３９は、制御部２３の制御のもとに再び、記憶媒体２９等に一時記憶していたＵＲＬ情報に従ってナウオンエア情報要求信号を、すでにラジオ放送情報配信サーバＳＶ３から受信して認証情報記憶部３８に対し一時記憶されているサービスセッションＩＤ情報等と共に通信制御部３２及びネットワークインタフェース３３を順次介してラジオ放送情報配信サーバＳＶ３に送信する。
【０３０４】
ステップＳＰ８０において、ラジオ放送情報配信サーバＳＶ３の制御部１１０は、クライアント端末２から送信されたナウオンエア情報要求信号と、サービスセッションＩＤ情報等とをネットワークインタフェース１１３及び通信制御部１１２を順次介して受信し、当該受信した認証セッションＩＤ情報等を認証処理部１１５に送出する。
【０３０５】
これにより認証処理部１１５は、制御部１１０の制御のもと、クライアント端末２から受信されたサービスセッションＩＤ情報等と、認証情報記憶部１２０に対しすでに一時記憶しているサービスセッションＩＤ情報等とを比較するようにしてユーザ認証処理を実行する。
【０３０６】
その結果、認証処理部１１５は、クライアント端末２を利用するユーザを正規ユーザであると認証すると、当該クライアント端末２からのナウオンエア情報の取得要求が正当な要求であると判断する。
【０３０７】
そして制御部１１０は、認証処理部１１５により、クライアント端末２を利用するユーザが正規ユーザであると認証されると、当該認証処理部１１５により、そのクライアント端末２に対し発行していたサービスセッションＩＤ情報等の有効期限を延長させて、次のステップＳＰ８１に移る。
【０３０８】
ステップＳＰ８１において、制御部１１０は、ナウオンエア情報記憶部１１９からナウオンエア情報を読み出し、当該読み出したナウオンエア情報を、認証処理部１１５により有効期限の延長されたサービスセッションＩＤ情報等と共に通信制御部１１２及びネットワークインタフェース１１３を順次介してクライアント端末２に送信する。
【０３０９】
ステップＳＰ８２において、クライアント端末２の制御部２３は、ラジオ放送情報配信サーバＳＶ３から送信されたナウオンエア情報と、有効期限の延長されたサービスセッションＩＤ情報等とをネットワークインタフェース３３及び通信制御部３２を順次介して受信し、当該受信したサービスセッションＩＤ情報等を認証処理部３７に送出すると共に、ナウオンエア情報をラジオ放送表示制御部３９に送出する。
【０３１０】
これにより認証処理部３７は、制御部２３の制御のもと認証情報記憶部３８において、ラジオ放送情報配信サーバＳＶ３から受信された有効期限の延長されているサービスセッションＩＤ情報等をその有効期限が延長される前のサービスセッションＩＤ情報等に上書きするようにして一時記憶することにより、当該認証情報記憶部３８に対しすでに一時記憶しているサービスセッションＩＤ情報等の内容を更新する。
【０３１１】
またラジオ放送表示制御部３９は、制御部２３から与えられたナウオンエア情報を表示制御部２４を介して表示部２５に送出することにより、当該表示部２５に対し、現在受信中のラジオ放送のラジオ番組に関するナウオンエア情報を表示させる。
【０３１２】
そしてかかるラジオ放送情報配信サービス提供処理手順では、この後、クライアント端末２がステップＳＰ７９におけるナウオンエア情報の取得要求を定期的に繰り返し実行すると共に、ラジオ放送情報配信サーバＳＶ３がクライアント端末２からその取得要求を受けてステップＳＰ８０及びステップＳＰ８１の処理を順次実行する。
【０３１３】
これによりクライアント端末２では、現在受信中のラジオ番組の番組名、番組放送開始時刻、番組放送終了時刻、そのラジオ番組内で現在流れている楽曲のタイトル、アーティスト名、楽曲放送開始時刻等をナウオンエア情報として時々刻々と更新しながらクライアント端末２の表示部２５に表示することができる。
【０３１４】
（１−８）クライアント端末２のハードウェア回路ブロック構成
（１−８−１）回路構成
次にクライアント端末２のハードウェア回路ブロックによるハードウェア構成を説明する。かかるクライアント端末２のハードウェア回路ブロックによるハードウェア構成では、一部の機能を後述するソフトウェアモジュールに従って実現している。
【０３１５】
図１４に示すようにクライアント端末２は、その筐体表面やリモートコントローラ（図示せず）に設けられた各種操作ボタンでなる操作入力部２００がユーザによって操作されると、当該操作入力部２００でこれを認識し、当該操作に応じた操作入力信号を入力処理部２０１へ送出する。
【０３１６】
入力処理部２０１は、供給される操作入力信号に対して所定の処理を施すことにより、当該操作入力信号を操作コマンドに変換し、これをバス２０２を介してＣＰＵ（Central Processing Unit）２０３に供給する。
【０３１７】
ＣＰＵ２０３は、ＲＯＭ（Read Only Memory）２０４に予め格納されている基本プログラムやアプリケーションプログラム等の各種プログラムをバス２０２を介してＲＡＭ（Random Access Memory）２０５に読み出し、これら各種プログラムに従って全体を制御すると共に、所定の演算処理や、入力処理部２０１から供給される操作コマンドに応じた各種処理を実行する。
【０３１８】
ディスプレイ２０６は、例えば液晶ディスプレイ等の表示デバイスであって、筐体表面に直接取り付けられている場合や外付けされている場合がある。
【０３１９】
そしてディスプレイ２０６は、ＣＰＵ２０３による処理結果や各種映像データが表示処理部２０７を介してアナログ映像信号として供給されると、当該アナログ映像信号に基づく映像を表示する。
【０３２０】
メディアドライブ２０８は、例えばＣＤや、フラッシュメモリが外装ケースに内包されるメモリスティック（登録商標）に記録されたコンテンツデータを読み出して再生し、又は当該ＣＤやメモリスティックに対し記録対象のコンテンツデータを記録する。
【０３２１】
そしてメディアドライブ２０８は、ＣＤやメモリスティックからコンテンツデータとして映像データを読み出したときには、当該再生した映像データをバス２０２を介して表示処理部２０７に供給する。
【０３２２】
またメディアドライブ２０８は、ＣＤやメモリスティックからコンテンツデータとして音声データを読み出したときには、当該再生した音声データを音声処理部２０９に供給する。
【０３２３】
表示処理部２０７は、バス２０２を介して供給される映像データに対してディジタルアナログ変換処理を施し、その結果得られるアナログ映像信号をディスプレイ２０６に供給することにより、当該ディスプレイ２０６にそのアナログ映像信号に基づく映像を表示させる。
【０３２４】
また音声処理部２０９は、バス２０２を介して供給される音声データに対してディジタルアナログ変換処理を施し、その結果得られるアナログ音声信号を２チャンネルのスピーカ２１０に送出することにより、当該スピーカ２１０からそのアナログ音声信号に基づくステレオ音声を出力させる。
【０３２５】
さらにＣＰＵ２０３は、メディアドライブ２０８で読み出したコンテンツデータをバス２０２を介してハードディスクドライブ２１１に送出することにより、当該ハードディスクドライブ２１１にそのコンテンツデータをコンテンツファイルとして記憶し得るようにもなされている。
【０３２６】
因みにＣＰＵ２０３は、ハードディスクドライブ２１１に対して記憶したコンテンツデータを、図３について上述したディレクトリ構成で管理している。
【０３２７】
そしてＣＰＵ２０３は、ハードディスクドライブ２１１に記憶したコンテンツファイルを当該ハードディスクドライブ２１１からコンテンツデータとして読み出すこともできる。
【０３２８】
なおＣＰＵ２０３は、ハードディスクドライブ２１１からコンテンツデータとして映像データを読み出したときには、当該読み出した映像データをバス２０２を介して表示処理部２０７に供給する。
【０３２９】
またＣＰＵ２０３は、ハードディスクドライブ２１１からコンテンツデータとして音声データを読み出したときには、当該読み出した音声データを音声処理部２０９に供給する。
【０３３０】
アンテナ２１２は、各ラジオ局から送信されてくるラジオ放送波を受信し、これをＡＭ／ＦＭチューナでなるチューナ２１３に送出する。
【０３３１】
チューナ２１３は、ＣＰＵ２０３の制御のもと、アンテナ２１２を介して受信されたラジオ放送波の中から例えば操作入力部２００を介して指定されたラジオ局に対応する放送周波数のラジオ放送信号を抽出して所定の受信処理を施し、この結果得られる音声データをバス２０２を介して音声処理部２０９に供給する。
【０３３２】
音声処理部２０９は、チューナ２１３から与えられた音声データをアナログ音声信号に変換してスピーカ２１０に送出することにより、当該スピーカ２１０からラジオ局で放送されているラジオ番組の番組音声を出力させ、かくしてユーザに対しラジオ番組の番組音声を聴取させることができる。
【０３３３】
またＣＰＵ２０３は、チューナ２１３で得られた音声データをハードディスクドライブ２１１に送出して記録することにより、ラジオ番組の番組音声を録音することもできる。
【０３３４】
さらにＣＰＵ２０３は、通信処理部２１４、ネットワークインタフェース２１５を順次介してネットワークＮＴに接続し、当該ネットワークＮＴ上のポータルサーバ３やその他サーバＳＶ１乃至ＳＶ４にアクセスすることができ、これによりポータルサーバ３やその他サーバＳＶ１乃至ＳＶ４との間で各種データを送受信することができる。
【０３３５】
（１−８−２）プログラムモジュール構成
図１５に示すように、上述の図１４に示したハードウェア回路ブロックによるハードウェア構成のクライアント端末２に実装されるプログラムモジュールとしては、ＯＳ上で動作するようになされており、ポータルサーバ３やその他サーバＳＶ１乃至ＳＶ４との間でやりとりを行う。
【０３３６】
ＨＴＴＰ(Hyper Text Transfer Protocol)メッセージプログラム２４０は、ポータルサーバ３やその他サーバＳＶ１乃至ＳＶ４との間のやりとりをＨＴＴＰ通信で行うものであり、コミュニケータプログラム２４１は、ＨＴＴＰメッセージプログラム２４０とデータのやりとりを行うプログラムモジュールである。
【０３３７】
コミュニケータプログラム２４１の上位には、コンテンツのコーデックを解釈して再生するコンテンツ再生モジュール２４２、著作権保護に関する情報を取り扱う著作権保護管理モジュール２４３が位置し、そのコンテンツ再生モジュール２４２、著作権保護管理モジュール２４３の上位に対して、インターネットラジオの選局及び再生を行うインターネットラジオ選局再生モジュール２４４、楽曲購入及び試聴曲の再生を司る楽曲購入再生モジュール２４５がそれぞれ位置している。
【０３３８】
インターネットラジオ選局再生モジュール２４４と、楽曲購入再生モジュール２４５とにより再生された音声データは、音声処理部２０９に転送されることにより、最終的にスピーカ２１０から音声として出力される。
【０３３９】
インターネットラジオ選局再生モジュール２４４、楽曲購入再生モジュール２４５の上位にはＸＭＬブラウザ２４６が位置し、各種サーバからのＸＭＬファイルを解釈し、ディスプレイ２０６に対して映像表示を行う。
【０３４０】
例えば、ＸＭＬブラウザ２４６を介してユーザに選択された楽曲は楽曲購入再生モジュール２４５で購入処理され、ハードディスクコンテンツコントローラ２４７を介してハードディスクドライブ２１１に書き込まれる。
【０３４１】
なおコミュニケータプログラム２４１には、ライブラリ２４８の認証ライブラリ２４８Ａが接続されており、当該認証ライブラリ２４８Ａはポータルサーバ３等と連携して各種認証処理を行うようになされている。
【０３４２】
さらにコミュニケータプログラム２４１の上位には、データベースアクセスモジュール２４９、コンテンツデータアクセスモジュール２５０及びハードディスクコンテンツコントローラ２４７が位置する。
【０３４３】
このデータベースアクセスモジュール２４９は、ハードディスクドライブ２１１に構築された各種データベースにアクセスし、コンテンツデータアクセスモジュール２５０はハードディスクドライブ２１１に格納されたコンテンツデータにアクセスし、ハードディスクコンテンツコントローラ２４７はハードディスクドライブ２１１に格納されたコンテンツデータを管理するようになされている。
【０３４４】
ハードディスクコンテンツコントローラ２４７の上位には、ラジオ局が放送した楽曲のタイトルやアーティスト名等を表示するためのラジオ放送情報表示モジュール２５１、及びラジオ局を選局したり、当該ラジオ局から受信した楽曲としてのコンテンツデータをハードディスクドライブ２１１に記憶（録音）するチューナ選局再生／録音モジュール２５２が位置している。
【０３４５】
例えば、オーディオユーザインタフェース２５３を介して選局されたラジオ局から受信した楽曲は、コンテンツデータアクセスモジュール２５０を介してハードディスクドライブ２１１へ書き込まれるようになされている。
【０３４６】
またチューナ選局再生／録音モジュール２５２により再生されたコンテンツデータとしての音声データは、音声処理部２０９に転送されることにより、最終的にスピーカ２１０から音声として出力される。
【０３４７】
ラジオ放送情報表示モジュール２５１は、チューナ選局再生／録音モジュール２５２によって現在ラジオ局が放送している楽曲のタイトルやアーティスト名等のナウオンエア情報のようなラジオ放送情報をラジオ放送情報配信サーバＳＶ３からＨＴＴＰメッセージプログラム２４０経由で受信し、これをオーディオユーザインタフェース（ＵＩ）２５３を介してディスプレイ２０６に表示する。
【０３４８】
なおオーディオユーザインタフェース２５３を介してディスプレイ２０６に表示したラジオ放送情報は、ライブラリ２４８のクリップライブラリ２４８Ｂに一時的に記憶することもでき、ユーザからの指示に従って最終的にはデータベースアクセスモジュール２４９を介してハードディスクドライブ２１１へ記憶される。
【０３４９】
ＣＤ再生モジュール２５４は、メディアドライブ２０８に対してＣＤを再生するように制御する。
【０３５０】
そしてＣＤ再生モジュール２５４によりＣＤから再生された音声データは、音声処理部２０９に転送されることにより、最終的にスピーカ２１０から音声として出力される。
【０３５１】
ＨＤＤ再生モジュール２５５は、図示はしていないが、ハードディスクコンテンツコントローラ２４７及び著作権保護管理モジュール２４３と接続されている。
【０３５２】
これによりＨＤＤ再生モジュール２５５は、ハードディスクコンテンツコントローラ２４７の制御のもとにハードディスクドライブ２１１から読み出されたコンテンツデータとしての音声データを、著作権保護管理モジュール２４３から供給される著作権管理情報に従って再生する。
【０３５３】
そしてＨＤＤ再生モジュール２５５により著作権管理情報に従って再生された音声データは、音声処理部２０９に転送されることにより、最終的にスピーカ２１０から音声として出力される。
【０３５４】
リッピングモジュール２５６は、図示はしていないが、ハードディスクコンテンツコントローラ２４７及び著作権保護管理モジュール２４３と接続されている。
【０３５５】
これによりリッピングモジュール２５６は、ＣＤ再生モジュール２５４によりＣＤから再生された音声データを、著作権保護管理モジュール２４３から供給される、その音声データを管理するための著作権管理情報と共に、ハードディスクコンテンツコントローラ２４７の制御のもとハードディスクドライブ２１１のハードディスクに記憶される（すなわち、リッピングされる）ように、ＣＤ再生モジュール２５４、著作権保護管理モジュール２４３及びハードディスクコンテンツコントローラ２４７を制御する。
【０３５６】
ところで以上説明したプログラムモジュールにおいてＨＴＴＰメッセージプログラム２４０及びコミュニケータプログラム２４１は、図２について上述したクライアント端末２の通信制御部３２と同様の機能を実現可能なプログラムモジュールである。
【０３５７】
またコンテンツ再生モジュール２４２は、図２について上述したクライアント端末２のエンコーダ／デコーダ部３４と同様の機能を実現可能なプログラムモジュールである。
【０３５８】
さらに著作権保護管理モジュール２４３は、図２について上述したクライアント端末２の著作権管理部３５と同様の機能を実現可能なプログラムモジュールである。
【０３５９】
さらにインターネットラジオ選局再生モジュール２４４は、図２について上述したクライアント端末２の制御部２３及び音声制御部２６と同様の機能を実現可能なプログラムモジュールである。
【０３６０】
さらに楽曲購入再生モジュール２４５は、図２について上述したクライアント端末２の制御部２３及び音声制御部２６と同様の機能を実現可能なプログラムモジュールである。
【０３６１】
さらにＸＭＬブラウザ２４６は、図２について上述したクライアント端末２の入力処理部２１及びページ情報生成部３６と同様の機能を実現可能なプログラムモジュールである。
【０３６２】
さらにハードディスクコンテンツコントローラ２４７及びデータベースアクセスモジュール２４９並びにコンテンツデータアクセスモジュール２５０は、図２について上述したクライアント端末２の制御部２３と同様の機能を実現可能なプログラムモジュールである。
【０３６３】
さらにライブラリ２４８の認証ライブラリ２４８Ａは、図２について上述したクライアント端末２の認証処理部３７及び認証情報記憶部３８と同様の機能を実現可能なプログラムモジュールである。
【０３６４】
さらにライブラリ２４８のクリップライブラリ２４８Ｂは、図２について上述したクライアント端末２の制御部２３と同様の機能を実現可能なプログラムモジュールである。
【０３６５】
さらにラジオ放送情報表示モジュール２５１は、図２について上述したクライアント端末２のラジオ放送表示制御部３９と同様の機能を実現可能なプログラムモジュールである。
【０３６６】
さらにチューナ選局再生／録音モジュール２５２は、図２について上述したクライアント端末２の制御部２３及び音声制御部２６並びにチューナ部３１と同様の機能を実現可能なプログラムモジュールである。
【０３６７】
さらにオーディオユーザインタフェース２５３は、図２について上述したクライアント端末２の入力処理部２１及び制御部２３並びに表示制御部２４と同様の機能を実現可能なプログラムモジュールである。
【０３６８】
さらにＣＤ再生モジュール２５４は、図２について上述したクライアント端末２の音声制御部２６及び外部記録媒体記録再生部２８と同様の機能を実現可能なプログラムモジュールである。
【０３６９】
さらにＨＤＤ再生モジュール２５５は、図２について上述したクライアント端末２の制御部２３及び音声制御部２６と同様の機能を実現可能なプログラムモジュールである。
【０３７０】
さらにリッピングモジュール２５６は、図２について上述したクライアント端末２の制御部２３及び外部記録媒体記録再生部２８並びにエンコーダ／デコーダ部３４と同様の機能を実現可能なプログラムモジュールである。
【０３７１】
従って図１４について上述したハードウェア回路ブロックによるハードウェア構成のクライアント端末２では、ＣＰＵ２０３が上述の各種プログラムモジュールに従って、図２について上述した機能回路ブロックによるハードウェア構成のクライアント端末２と同様の処理を実行することができる。
【０３７２】
（１−９）ポータルサーバの構成
図１６に示すポータルサーバ３は、全体を統括的に制御するＣＰＵ２６０が、ＲＯＭ２６１又はハードディスクドライブ２６２に記憶されている基本プログラムや各種プログラムを、バス２６３を介してＲＡＭ２６４に適宜展開しこれを実行することにより、ユーザ認証処理等の各種処理を行う。
【０３７３】
例えばポータルサーバ３のＣＰＵ２６０は、クライアント端末２からネットワークＮＴ及びネットワークインタフェース２６５を順次介してユーザＩＤ情報及びパスワード等を受信すると、ユーザ認証処理を開始するようになされている。
【０３７４】
すなわちかかるハードウェア回路ブロック構成のポータルサーバ３でも、図４について上述した機能回路ブロック構成のポータルサーバ３の機能に応じて、ＲＯＭ２６１又はハードディスクドライブ２６２に記憶させる各種プログラムを適宜選定することにより、ＣＰＵ２６０を当該ポータルサーバ３の制御部５０、通信制御部５２及び認証処理部５６と同様に機能させることができると共に、ハードディスクドライブ２６２をそのポータルサーバ３の顧客データベース部５４、ページ情報記憶部５５、認証情報記憶部５７、周波数情報記憶部５８及びＵＲＬ記憶部５９と同様に用いることができる。
【０３７５】
（１−１０）音楽データ配信サーバの構成
図１７に示す音楽データ配信サーバＳＶ１は、全体を統括的に制御するＣＰＵ２７０が、ＲＯＭ２７１又はハードディスクドライブ２７２に記憶されている基本プログラムや各種プログラムを、バス２７３を介してＲＡＭ２７４に適宜展開しこれを実行することにより、クライアント端末２に対して音楽データを配信するための処理を行う。
【０３７６】
例えば音楽データ配信サーバＳＶ１のＣＰＵ２７０は、クライアント端末２からネットワークＮＴ及びネットワークインタフェース２７５を順次介して音楽データが要求されると、ハードディスクドライブ２７２に記憶されている当該音楽データを読み出して、これをクライアント端末２に対して送信するようになされている。
【０３７７】
すなわちかかるハードウェア回路ブロック構成の音楽データ配信サーバＳＶ１でも、図５について上述した機能回路ブロック構成の音楽データ配信サーバＳＶ１の機能に応じて、ＲＯＭ２７１又はハードディスクドライブ２７２に記憶させる各種プログラムを適宜選定することにより、ＣＰＵ２７０を当該音楽データ配信サーバＳＶ１の制御部７０、通信制御部７２、認証処理部７５及び検索部７９と同様に機能させることができると共に、ハードディスクドライブ２７２をその音楽データ配信サーバＳＶ１の顧客データベース部７４、ページ情報記憶部７６、認証情報記憶部７７及び音楽データ記憶部７８と同様に用いることができる。
【０３７８】
（１−１１）物販サーバの構成
図１８に示す物販サーバＳＶ２は、全体を統括的に制御するＣＰＵ２８０が、ＲＯＭ２８１又はハードディスクドライブ２８２に記憶されている基本プログラムや各種プログラムを、バス２８３を介してＲＡＭ２８４に適宜展開しこれを実行することにより、物販サービスを提供するための処理を行う。
【０３７９】
例えば物販サーバＳＶ２のＣＰＵ２８０は、クライアント端末２からネットワークＮＴ及びネットワークインタフェース２８５を順次介して例えば音楽ＣＤを販売するように要求されると、クライアント端末２のユーザに対して当該音楽ＣＤを販売するための処理を実行するようになされている。
【０３８０】
すなわちかかるハードウェア回路ブロック構成の物販サーバＳＶ２でも、図６について上述した機能回路ブロック構成の物販サーバＳＶ２の機能に応じて、ＲＯＭ２８１又はハードディスクドライブ２８２に記憶させる各種プログラムを適宜選定することにより、ＣＰＵ２８０を当該物販サーバＳＶ２の制御部９０、通信制御部９２、認証処理部９５及び検索部９９と同様に機能させることができると共に、ハードディスクドライブ２８２をその物販サーバＳＶ２の顧客データベース部９４、ページ情報記憶部９６、認証情報記憶部９７及びパッケージメディア情報記憶部９８と同様に用いることができる。
【０３８１】
（１−１２）ラジオ放送情報配信サーバの構成
図１９に示すラジオ放送情報配信サーバＳＶ３は、全体を統括的に制御するＣＰＵ２９０が、ＲＯＭ２９１又はハードディスクドライブ２９２に記憶されている基本プログラムや各種プログラムを、バス２９３を介してＲＡＭ２９４に適宜展開しこれを実行することにより、ラジオ放送情報としてのナウオンエア情報やオンエアリスト情報を配信する処理を行う。
【０３８２】
このラジオ放送情報配信サーバＳＶ３は、それぞれ対応するラジオ局で管理され、そのラジオ局で放送されるラジオ番組についてのナウオンエア情報及びオンエアリスト情報を、ハードディスクドライブ２９２に構築してあるラジオ放送情報データベースで管理するようになされている。
【０３８３】
ここでこのラジオ放送情報データベースの構成を図２０に示す。このラジオ放送情報データベースは、ナウオンエア情報を管理するための放送中番組テーブルＴＢ１、オンエアリスト情報を管理するための放送済楽曲テーブルＴＢ２及び放送済番組テーブルＴＢ３で構成されている。
【０３８４】
放送中番組テーブルＴＢ１には、ラジオ放送情報配信サーバＳＶ３に対応するラジオ局の局名、当該ラジオ局で今現在放送中のラジオ番組の番組タイトル、出演者（ＤＪ（Disk Jockey））名、当該ラジオ番組内で今現在放送中の楽曲の放送開始時刻（日付を含む）、楽曲タイトル、この楽曲のアーティスト名及びジャンルからなるナウオンエア情報が格納されている。
【０３８５】
すなわち放送中番組テーブルＴＢ１には、今現在放送中のラジオ番組及び楽曲に関するナウオンエア情報が格納されるようになされている。
【０３８６】
また放送済楽曲テーブルＴＢ２には、対応するラジオ局の局名、当該ラジオ局のラジオ番組内で楽曲が放送された時刻（日付及び開始時刻）、楽曲タイトル、この楽曲のアーティスト名及びジャンルからなるオンエアリスト情報が蓄積されている。
【０３８７】
すなわち放送済楽曲テーブルＴＢ２には、ラジオ番組内で放送された楽曲に関するオンエアリスト情報が蓄積されるようになされている。
【０３８８】
また放送済番組テーブルＴＢ３には、対応するラジオ局の局名、当該ラジオ局で放送されたラジオ番組の放送時間（日付、開始時刻及び終了時刻）、番組タイトル、出演者（ＤＪ）名からなるオンエアリスト情報が蓄積されている。
【０３８９】
すなわち放送済番組テーブルＴＢ３には、放送されたラジオ番組に関するオンエアリスト情報が蓄積されるようになされている。
【０３９０】
実際上、ラジオ放送情報配信サーバＳＶ３のＣＰＵ２９０（図１９）は、対応するラジオ局から現在の放送状況（ラジオ番組の開始や終了、ラジオ番組内で流される楽曲の開始や終了等）が通知されると、図２１に示すように、その放送状況をもとに放送中番組テーブルＴＢ１の内容を更新する。
【０３９１】
すなわち、ラジオ番組が終了して次のラジオ番組に切り替わったときや、ラジオ番組内で放送されている楽曲が次の楽曲に切り替わったとき等のタイミングで、放送中番組テーブルＴＢ１に格納されているナウオンエア情報を更新する。
【０３９２】
従って放送中番組テーブルＴＢ１には、今現在の放送状況に合わせたほぼリアルタイムなナウオンエア情報が格納される。なお、ラジオ番組内で楽曲が流れていないとき等には、この放送中番組テーブルＴＢ１に、例えば現在楽曲が放送されていないことを示すヌルデータを格納しておくようにしてもよいし、直前に放送されていた楽曲のナウオンエア情報を次に楽曲が放送されるまでそのまま格納しておくようにしてもよい。
【０３９３】
そしてＣＰＵ２９０は、クライアント端末２からナウオンエア情報の取得要求を受け付けると、この放送中番組テーブルＴＢ１に格納されているナウオンエア情報をネットワークインタフェース２９５を介してクライアント端末２に送信するようになされている。
【０３９４】
またＣＰＵ２９０は、ラジオ番組内で流される楽曲の放送終了後、所定時間（例えば数分）経過後、図２２に示すように放送済楽曲テーブルＴＢ２に当該楽曲に関するオンエアリスト情報を追加する。
【０３９５】
さらにＣＰＵ２９０は、ラジオ番組の放送終了後、所定時間（例えば数分）経過後、図２３に示すように放送済番組テーブルＴＢ３に当該ラジオ番組に関するオンエアリスト情報を追加する。
【０３９６】
そしてＣＰＵ２９０は、クライアント端末２から所定期間分（例えば過去１週間分）のオンエアリスト情報の取得要求を受け付けると、図２４に示すように、放送済楽曲テーブルＴＢ２における放送時刻と、放送済番組テーブルＴＢ３の放送時間とを関連付けることにより、これら２つのテーブルに格納されたオンエアリスト情報を関連付けし、この中から過去１週間分のオンエアリスト情報を抽出してこれをネットワークインタフェース２９５を介してクライアント端末２に送信する。
【０３９７】
従ってこの場合、クライアント端末２に送信されるオンエアリスト情報は、過去１週間に各ラジオ番組及び各ラジオ番組内で放送された各楽曲に関するリストとなり、クライアント端末２がこのオンエアリスト情報をディスプレイ２６に表示することにより、過去１週間に放送されたラジオ番組でどの楽曲が流されたのかをユーザに呈示することもできる。
【０３９８】
このようにラジオ放送情報配信サーバＳＶ３は、対応するラジオ局で放送されるラジオ番組についてのナウオンエア情報及びオンエアリスト情報を記憶管理しており、クライアント端末２からの要求に応じてこれらを配信するようになされている。
【０３９９】
このように、かかるハードウェア回路ブロック構成のラジオ放送情報配信サーバＳＶ３でも、図７について上述した機能回路ブロック構成のラジオ放送情報配信サーバＳＶ３の機能に応じて、ＲＯＭ２９１又はハードディスクドライブ２９２に記憶させる各種プログラムを適宜選定することにより、ＣＰＵ２９０を当該ラジオ放送情報配信サーバＳＶ３の制御部１１０、通信制御部１１２、認証処理部１１５及び検索部１１８と同様に機能させることができると共に、ハードディスクドライブ２９２をそのラジオ放送情報配信サーバＳＶ３の顧客データベース部１１４、ページ情報記憶部１１６、オンエアリスト情報記憶部１１７、ナウオンエア情報記憶部１１９及び認証情報記憶部１２０と同様に用いることができる。
【０４００】
（１―１３）キーワード録音機能
本実施の形態におけるクライアント端末２においては、ラジオ番組内で流される楽曲を、ユーザが入力したキーワードに基づいて録音するキーワード録音機能を有しており、以下、このキーワード録音機能におけるキーワード録音処理について説明する。
【０４０１】
図２５に示すように、このキーワード録音処理は、クライアント端末２とラジオ放送情報配信サーバＳＶ３との処理シーケンスでなり、クライアント端末２のＣＰＵ２０３及びラジオ放送情報配信サーバＳＶ３のＣＰＵ２９０によって実行されるものである。
【０４０２】
なお、このキーワード録音処理においては、クライアント端末２がラジオ放送情報配信サーバＳＶ３からナウオンエア情報を取得するようになされているが、この場合の取得方法及び認証方法の詳細については上述したので、その説明を省略する。
【０４０３】
クライアント端末２は、操作入力部２００を介してキーワード録音の開始命令がなされたことを認識すると、ステップＳＰ１００において、ユーザに対して所望の楽曲を示すキーワードを入力するよう指示するメッセージをディスプレイ２０６に表示し、これに応じてキーワード（例えば楽曲タイトル：「世界中にたくさんある花」）が入力されたことを認識すると、このキーワード（楽曲タイトル：「世界中にたくさんある花」）をハードディスクドライブ２１１に記録すると共に、当該キーワードに対応するフォルダ「世界中にたくさんある花」をハードディスクドライブ２１１上に生成して、次のステップＳＰ１０１に移る。
【０４０４】
ステップＳＰ１０１においてクライアント端末２は、ユーザに対して所望のラジオ局を指定するよう指示するメッセージをディスプレイ２０６に表示して、ラジオ局を指定させ、この指定されたラジオ局の周波数にチューナ２１３を合わせて当該ラジオ局で放送中の番組音声の仮録音を開始する。
【０４０５】
因みに、この場合の仮録音とは、番組音声を一時的にハードディスクドライブ２１１に記録することを意味し、この仮録音に対して後述する本録音が番組音声をハードディスクドライブ２１１に記録保持することを意味する。
【０４０６】
実際上この仮録音では、チューナ２１３で受信処理した音声データ（以下、これを番組音声データとも呼ぶ）を所定時間（例えば３分）記録し得る容量のバッファをハードディスクドライブ２１１上に確保し、現在から例えば３分前までの番組音声データが常にこのバッファに保持されるように、当該バッファに対して番組音声データの書込及び消去を繰り返し行うようになされている。
【０４０７】
このようにして仮録音を開始した後、クライアント端末２は、次のステップＳＰ１０２に移り、このステップＳＰ１０２において、指定されたラジオ局に対応するラジオ放送情報配信サーバＳＶ３に対してナウオンエア情報を要求するための要求情報を送信する。
【０４０８】
クライアント端末２から要求情報を受信したラジオ放送情報配信サーバＳＶ３は、ステップＳＰ１０３において、ラジオ放送情報データベースの放送中番組テーブルＴＢ１からナウオンエア情報を取得し、これをクライアント端末２に送信する。
【０４０９】
クライアント端末２は、ラジオ放送情報配信サーバＳＶ３から送信されたナウオンエア情報を受信すると、ステップＳＰ１０４において、この受信したナウオンエア情報にキーワード（楽曲タイトル：「世界中にたくさんある花」）に一致する情報が含まれているか否かを判断する。
【０４１０】
ここで否定結果を得ると、このことは受信したナウオンエア情報にキーワード（楽曲タイトル：「世界中にたくさんある花」）に一致する情報が含まれていないことにより現在受信中のラジオ番組でユーザが所望する楽曲が流されていないことを表しており、このときクライアント端末２は、ステップＳＰ１０２に戻り、ポーリング間隔（例えば３０秒）経過後、再度ナウオンエア情報をラジオ放送情報配信サーバＳＶ３に要求する。
【０４１１】
これに対してこのステップＳＰ１０４で肯定結果を得ると、このことは受信したナウオンエア情報にキーワード（楽曲タイトル：「世界中にたくさんある花」）に一致する情報が含まれていることにより現在受信中のラジオ番組でユーザが所望する楽曲が流され始めたことを表しており、このときクライアント端末２は、次のステップＳＰ１０５に移る。
【０４１２】
ステップＳＰ１０５においてクライアント端末２は、番組音声の本録音を開始する。
【０４１３】
ところで、クライアント端末２においては、ポーリング間隔である３０秒毎にナウオンエア情報を受信するようになされているため、実際にラジオ番組内で所望の楽曲が流され始めた時刻に対して、この楽曲が流され始めたことを示すナウオンエア情報を受信するタイミングが最大３０秒遅れることになる。
【０４１４】
そこでクライアント端末２は、キーワードを含むナウオンエア情報を受信したタイミング（すなわち現在時刻）から３０秒前までの番組音声データをバッファから取り出してこの番組音声データを先頭データとし、当該先頭データに続けてこのナウオンエア情報を受信したタイミング以降の番組音声データをハードディスクドライブ２１１に記録していくようになされている。
【０４１５】
このようにバッファに保持されている番組音声データを利用して、ナウオンエア情報を受信したタイミングよりも３０秒前の時点からの番組音声を本録音することを、ここではタイムマシン録音と呼び、これにより楽曲が流され始めた時点からの番組音声を録音することができ、録音時における楽曲の頭切れを防止することができる。
【０４１６】
このようにしてタイムマシン録音を開始した後、クライアント端末２は、次のステップＳＰ１０６に移り、ポーリング間隔経過後、再びナウオンエア情報をラジオ放送情報配信サーバＳＶ３に要求する。
【０４１７】
クライアント端末２からナウオンエア情報を要求されたラジオ放送情報配信サーバＳＶ３は、ステップＳＰ１０７において、ラジオ放送情報データベースの放送中番組テーブルＴＢ１からナウオンエア情報を抽出し、これをクライアント端末２に送信する。
【０４１８】
クライアント端末２は、ラジオ放送情報配信サーバＳＶ３から送信されたナウオンエア情報を受信すると、ステップＳＰ１０８において、この受信したナウオンエア情報にキーワード（楽曲タイトル：「世界中にたくさんある花」）に一致する情報が含まれているか否かを判断する。
【０４１９】
ここで肯定結果を得ると、このことは受信したナウオンエア情報にキーワード（楽曲タイトル：「世界中にたくさんある花」）に一致する情報が含まれていることにより現在受信中のラジオ番組で所望の楽曲が流され続けていることを表しており、このときクライアント端末２は、ステップＳＰ１０６に戻り、ポーリング間隔経過後、再度ナウオンエア情報をラジオ放送情報配信サーバＳＶ３に要求する。
【０４２０】
これに対してこのステップＳＰ１０８で否定結果を得ると、このことは受信したナウオンエア情報にキーワード（楽曲タイトル：「世界中にたくさんある花」）に一致する情報が含まれていないことによりラジオ番組で流されていた所望の楽曲が終了したことを表しており、このときクライアント端末２は、次のステップＳＰ１０９に移る。
【０４２１】
ステップＳＰ１０９においてクライアント端末２は、番組音声のタイムマシン録音を停止し、タイムマシン録音した番組音声の番組音声データをユーザが所望する楽曲のコンテンツデータとして、フォルダ「世界中にたくさんある花」に登録し、次のステップＳＰ１１０に移る。
【０４２２】
このようにナウオンエア情報にキーワード（楽曲タイトル：「世界中にたくさんある花」）に一致する情報が含まれなくなったときに、タイムマシン録音を停止するようにしたことにより、楽曲の終了時点までの番組音声を録音することができ、録音時における楽曲の尻切れを防止することができる。
【０４２３】
ステップＳＰ１１０においてクライアント端末２は、操作入力部２００を介してキーワード録音の停止命令がなされたか否かを判断する。ここで否定結果を得ると、クライアント端末２は、再びステップＳＰ１０２に戻ってキーワード録音処理を継続し、肯定結果を得ると、ステップＳＰ１１１に移って仮録音を停止してキーワード録音処理を終了する。
【０４２４】
（１―１４）第１の実施の形態における動作及び効果
以上の構成においてクライアント端末２は、所望の楽曲を示すキーワード及びラジオ局をユーザに指定させ、この指定されたラジオ局で放送中の番組音声を仮録音する。
【０４２５】
さらにクライアント端末２は、指定されたラジオ局に対応するラジオ放送情報配信サーバＳＶ３からナウオンエア情報を受信し、このナウオンエア情報にキーワードに一致する情報が含まれているか否かを判断する。
【０４２６】
ここでこのナウオンエア情報にキーワードに一致する情報が含まれている場合、クライアント端末２は、受信中のラジオ番組で所望の楽曲が流され始めたと認識し、仮録音した番組音声を利用して当該ナウオンエア情報を受信したタイミング（現在時刻）よりも３０秒前の時点からの番組音声をタイムマシン録音する。
【０４２７】
さらにクライアント端末２は、ポーリング間隔毎にナウオンエア情報を受信し続け、当該ナウオンエア情報にキーワードに一致する情報が含まれなくなったとき（すなわち所望の楽曲が終了したとき）にタイムマシン録音を停止する。
【０４２８】
これによりクライアント端末２は、放送される番組音声のうちユーザが所望するキーワードに該当する楽曲が放送されているときの番組音声を録音することができる。
【０４２９】
以上の構成によれば、ナウオンエア情報を定期的に取得し、このナウオンエア情報からキーワードが検出されているときに、受信している放送信号を記録するようにしたことにより、ユーザの所望する楽曲が放送されているときの番組音声を録音することができ、かくしてラジオ番組単位で録音するばかりでなく、ラジオ番組の番組音声のうちユーザが所望する部分の番組音声を容易に録音することができる。
【０４３０】
（２）第２の実施の形態
第２の実施の形態においては、第１の実施の形態と、システム、クライアント端末及び各種サーバの構成が同じであるため、これらについては説明を省略する。
【０４３１】
ただし、この第２の実施の形態においては、対応するラジオ局における現在から数週間先までのラジオ番組表となる番組表データをラジオ放送情報配信サーバＳＶ３がハードディスクドライブ２９２に保持しており、これをクライアント端末２からの要求に応じて配信し得るようになされている。
【０４３２】
そしてクライアント端末２は、この番組表データを、受信可能なラジオ局に対応するラジオ放送情報配信サーバＳＶ３から定期的に受信してハードディスクドライブ２１１に記録し得るようになされており、この番組表データを利用したキーワード録音機能を有している。以下、このキーワード録音機能におけるキーワード録音処理について説明する。
【０４３３】
図２６に示すように、このキーワード録音処理は、クライアント端末２とラジオ放送情報配信サーバＳＶ３との処理シーケンスでなり、クライアント端末２のＣＰＵ２０３及びラジオ放送情報配信サーバＳＶ３のＣＰＵ２９０によって実行されるものである。
【０４３４】
クライアント端末２は、操作入力部２００を介してキーワード録音の開始命令がなされたことを認識すると、ステップＳＰ１２０において、ユーザに対して所望の楽曲を示すキーワードを入力するよう指示するメッセージをディスプレイ２０６に表示し、これに応じてキーワード（例えば楽曲タイトル：「世界中にたくさんある花」）が入力されたことを認識すると、このキーワード（楽曲タイトル：「世界中にたくさんある花」）をハードディスクドライブ２１１に記録すると共に、当該キーワードに対応するフォルダ「世界中にたくさんある花」をハードディスクドライブ２１１上に生成して、次のステップＳＰ１２１に移る。
【０４３５】
ステップＳＰ１２１においてクライアント端末２は、ハードディスクドライブ２１１に記録してある番組表データをもとに受信可能なラジオ局（例えばプリセットされたラジオ局）のラジオ番組表を生成し、これを図２７に示すように番組表画面３００としてディスプレイ２０６に表示する。
【０４３６】
この番組表画面３００は、キーワード録音の対象となるラジオ番組を指定するためのものであり、受信可能なラジオ局において現在から数週間先までに放送予定のラジオ番組の番組タイトルが、その放送日、放送開始時刻及び終了時刻と対応付けて表示されるようになされている。
【０４３７】
さらにこの番組表画面３００上における各番組タイトルの表示位置の横には、それぞれそのラジオ番組を指定するためのチェックボックスＣＢが設けられている。
【０４３８】
これによりユーザは、操作入力部２００で操作可能な図示しないカーソルで所望の番組タイトルのチェックボックスＣＢを選択して、キーワード録音の対象となるラジオ番組を指定することができる。
【０４３９】
このようにクライアント端末２においては、この番組表画面３００上でキーワード録音を行うラジオ番組を指定し得、これにより例えばユーザの好みに全く合わないようなラジオ番組についてはキーワード録音処理の対象から外すことができるようになされている。
【０４４０】
そしてクライアント端末２は、所望のラジオ番組が指定された状態で、番組表画面３００上の設定ボタンＰＢが押下されたことを認識すると、指定されたラジオ番組の番組タイトル、ラジオ局名、放送開始時刻及び終了時刻を対応付けた情報（以下、これを録音条件情報と呼ぶ）をハードディスクドライブ２１１に記録し、次のステップＳＰ１２２に移る。
【０４４１】
ステップＳＰ１２２においてクライアント端末２は、自身に内蔵されたタイマー回路（図示せず）で得られる現在時刻をもとに、録音条件情報として指定されたラジオ番組の放送開始時刻になるまで待ち受け、そのラジオ番組の放送開始時刻になったことを認識すると、次のステップＳＰ１２３に移る。
【０４４２】
ステップＳＰ１２３においてクライアント端末２は、録音条件情報として指定されたラジオ番組を放送するラジオ局の周波数にチューナ２１３を合わせて当該ラジオ局で放送中の番組音声の仮録音を開始し、次のステップＳＰ１２４に移る。因みに、この仮録音は、上述の第１の実施の形態と同様の方法で行う。
【０４４３】
ステップＳＰ１２４においてクライアント端末２は、選局しているラジオ局に対応したラジオ放送情報配信サーバＳＶ３に対してナウオンエア情報を要求する。
【０４４４】
クライアント端末２からナウオンエア情報を要求されたラジオ放送情報配信サーバＳＶ３は、ステップＳＰ１２５において、ラジオ放送情報データベースの放送中番組テーブルＴＢ１からナウオンエア情報を取得し、これをクライアント端末２に送信する。
【０４４５】
クライアント端末２は、ラジオ放送情報配信サーバＳＶ３から送信されたナウオンエア情報を受信すると、ステップＳＰ１２６において、この受信したナウオンエア情報にキーワード（楽曲タイトル：「世界中にたくさんある花」）に一致する情報が含まれているか否かを判断する。
【０４４６】
ここで否定結果を得ると、このことは受信したナウオンエア情報にキーワード（楽曲タイトル：「世界中にたくさんある花」）に一致する情報が含まれていないことにより現在受信中のラジオ番組でユーザの所望する楽曲が流されていないことを表しており、このときクライアント端末２は、ステップＳＰ１２４に戻り、ポーリング間隔経過後、再度ナウオンエア情報をラジオ放送情報配信サーバＳＶ３に要求する。
【０４４７】
これに対してこのステップＳＰ１２６で肯定結果を得ると、このことは受信したナウオンエア情報にキーワード（楽曲タイトル：「世界中にたくさんある花」）に一致する情報が含まれていることにより現在受信中のラジオ番組でユーザが所望する楽曲が流され始めたことを表しており、このときクライアント端末２は、次のステップＳＰ１２７に移る。
【０４４８】
ステップＳＰ１２７においてクライアント端末２は、番組音声のタイムマシン録音を開始し、次のステップＳＰ１２８に移る。因みに、このタイムマシン録音は、上述の第１の実施の形態と同様の方法で行う。
【０４４９】
ステップＳＰ１２８においてクライアント端末２は、ポーリング間隔経過後、再びナウオンエア情報をラジオ放送情報配信サーバＳＶ３に要求する。
【０４５０】
クライアント端末２からナウオンエア情報を要求されたラジオ放送情報配信サーバＳＶ３は、ステップＳＰ１２９において、放送内容情報データベースの放送中番組テーブルＴＢ１からナウオンエア情報を取得し、これをクライアント端末２に送信する。
【０４５１】
クライアント端末２は、ラジオ放送情報配信サーバＳＶ３から送信されたナウオンエア情報を受信すると、ステップＳＰ１３０において、この受信したナウオンエア情報にキーワード（楽曲タイトル：「世界中にたくさんある花」）に一致する情報が含まれているか否かを判断する。
【０４５２】
ここで肯定結果を得ると、このことは受信したナウオンエア情報にキーワード（楽曲タイトル：「世界中にたくさんある花」）に一致する情報が含まれていることにより現在受信中のラジオ番組で所望の楽曲が流され続けていることを表しており、このときクライアント端末２は、ステップＳＰ１２８に戻り、ポーリング間隔経過後、再度ナウオンエア情報をラジオ放送情報配信サーバＳＶ３に要求する。
【０４５３】
これに対してこのステップＳＰ１３０で否定結果を得ると、このことは受信したナウオンエア情報にキーワード（楽曲タイトル：「世界中にたくさんある花」）に一致する情報が含まれていないことによりラジオ番組で流されていた所望の楽曲が終了したことを表しており、このときクライアント端末２は、次のステップＳＰ１３１に移る。
【０４５４】
ステップＳＰ１３１においてクライアント端末２は、番組音声のタイムマシン録音を停止し、タイムマシン録音した番組音声の番組音声データをユーザが所望する楽曲のコンテンツデータとして、フォルダ「世界中にたくさんある花」に登録し、次のステップＳＰ１３２に移る。
【０４５５】
ステップＳＰ１３２においてクライアント端末２は、仮録音しているラジオ番組の放送終了時刻になったか否かを判断する。ここで否定結果を得ると、クライアント端末２は、再びステップＳＰ１２４に戻って、このラジオ番組の放送終了時刻になるまでステップＳＰ１２４〜ステップＳＰ１３２までの処理を繰り返し、肯定結果を得ると、ステップＳＰ１３３に移って仮録音を停止し、次のステップＳＰ１３４に移る。
【０４５６】
ステップＳＰ１３４においてクライアント端末２は、操作入力部２００を介してキーワード録音の停止命令がなされたか否かを判断する。ここで否定結果を得ると、クライアント端末２は、再びステップＳＰ１２２に戻ってキーワード録音処理を継続し、肯定結果を得るとキーワード録音処理を終了する。
【０４５７】
以上の構成において、この第２の実施の形態におけるクライアント端末２は、所望の楽曲を示すキーワード及び所望のラジオ番組をユーザに指定させ、この指定されたラジオ番組の番組音声を仮録音する。
【０４５８】
さらにクライアント端末２は、指定されたラジオ番組を放送するラジオ局に対応したラジオ放送情報配信サーバＳＶ３からナウオンエア情報を受信し、このナウオンエア情報にキーワードに一致する情報が含まれているか否かを判断する。
【０４５９】
ここでこのナウオンエア情報にキーワードに一致する情報が含まれている場合、クライアント端末２は、受信中のラジオ番組で所望の楽曲が流され始めたと認識し、仮録音した番組音声を利用して当該ナウオンエア情報を受信したタイミング（現在時刻）よりも３０秒前の時点からの番組音声をタイムマシン録音する。
【０４６０】
さらにクライアント端末２は、ポーリング間隔毎にナウオンエア情報を受信し続け、当該ナウオンエア情報にキーワードに一致する情報が含まれなくなったとき（すなわち所望の楽曲が終了したとき）にタイムマシン録音を停止する。
【０４６１】
これによりクライアント端末２は、指定されたラジオ番組の番組音声のうち、ユーザが所望するキーワードに該当する楽曲が放送されているときのみの番組音声を録音することができる。
【０４６２】
以上の構成によれば、ナウオンエア情報を定期的に取得し、このナウオンエア情報からキーワードが検出されているときに、受信している放送信号を記録するようにしたことにより、ユーザの所望する楽曲が放送されているときのみの番組音声を録音することができ、かくしてラジオ番組単位で録音するばかりでなく、ラジオ番組の番組音声のうちユーザが所望する部分の番組音声を容易に録音することができる。
【０４６３】
またこの第２の実施の形態におけるクライアント端末２によれば、所望のラジオ番組を予め指定させるようにしたことにより、例えばユーザの好みに全く合わないようなラジオ番組については、そのキーワード録音処理を省略して処理負荷を軽減することもできる。
【０４６４】
（３）第３の実施の形態
第３の実施の形態においては、第１及び第２の実施の形態と、システム、クライアント端末及び各種サーバの構成が同じであるため、これらについては説明を省略する。
【０４６５】
この第３の実施の形態によるクライアント端末２においては、ナウオンエア情報に含まれる楽曲の開始時刻に基づいて、タイムマシン録音の開始時刻を設定するキーワード録音機能を有しており、以下、このキーワード録音機能におけるキーワード録音処理について説明する。
【０４６６】
図２８に示すように、このキーワード録音処理は、クライアント端末２とラジオ放送情報配信サーバＳＶ３との処理シーケンスでなり、クライアント端末２のＣＰＵ２０３及びラジオ放送情報配信サーバＳＶ３のＣＰＵ２９０によって実行されるものである。
【０４６７】
クライアント端末２は、操作入力部２００を介してキーワード録音の開始命令がなされたことを認識すると、ステップＳＰ１４０において、ユーザに対して所望の楽曲を示すキーワードを入力するよう指示するメッセージをディスプレイ２０６に表示し、これに応じてキーワード（例えば楽曲タイトル：「世界中にたくさんある花」）が入力されたことを認識すると、このキーワード（楽曲タイトル：「世界中にたくさんある花」）をハードディスクドライブ２１１に記録すると共に、当該キーワードに対応するフォルダ「世界中にたくさんある花」をハードディスクドライブ２１１上に生成して、次のステップＳＰ１４１に移る。
【０４６８】
ステップＳＰ１４１においてクライアント端末２は、ユーザに対して所望のラジオ局を指定するよう指示するメッセージをディスプレイ２０６に表示して、ラジオ局を指定させ、この指定されたラジオ局の周波数にチューナ２１３を合わせて当該ラジオ局で放送中の番組音声の仮録音を開始し、次のステップＳＰ１４２に移る。因みに、この仮録音は、上述の第１及び第２の実施の形態と同様の方法で行う。
【０４６９】
ステップＳＰ１４２においてクライアント端末２は、指定されたラジオ局に対応するラジオ放送情報配信サーバＳＶ３に対してナウオンエア情報を要求する。
【０４７０】
クライアント端末２からナウオンエア情報を要求されたラジオ放送情報配信サーバＳＶ３は、ステップＳＰ１４３において、ラジオ放送情報データベースの放送中番組テーブルＴＢ１からナウオンエア情報を取得し、これをクライアント端末２に送信する。
【０４７１】
クライアント端末２は、ラジオ放送情報配信サーバＳＶ３から送信されたナウオンエア情報を受信すると、ステップＳＰ１４４において、この受信したナウオンエア情報にキーワード（楽曲タイトル：「世界中にたくさんある花」）に一致する情報が含まれているか否かを判断する。
【０４７２】
ここで否定結果を得ると、このことは受信したナウオンエア情報にキーワード（楽曲タイトル：「世界中にたくさんある花」）に一致する情報が含まれていないことにより現在受信中のラジオ番組でユーザが所望する楽曲が流されていないことを表しており、このときクライアント端末２は、ステップＳＰ１４２に戻り、ポーリング間隔経過後、再度ナウオンエア情報をラジオ放送情報配信サーバＳＶ３に要求する。
【０４７３】
これに対してこのステップＳＰ１４４で肯定結果を得ると、このことは受信したナウオンエア情報にキーワード（楽曲タイトル：「世界中にたくさんある花」）に一致する情報が含まれていることにより現在受信中のラジオ番組でユーザが所望する楽曲が流され始めたことを表しており、このときクライアント端末２は、次のステップＳＰ１４５に移る。
【０４７４】
ステップＳＰ１４５においてクライアント端末２は、番組音声のタイムマシン録音を開始する。
【０４７５】
実際上、このタイムマシン録音の開始時においてクライアント端末２は、キーワードを含むナウオンエア情報の楽曲開始時刻とこのナウオンエア情報を受信したタイミング（すなわち現在時刻）との時間差を算出する。このとき例えば時間差が５秒であるとすれば、現在時刻の５秒前の時点からラジオ番組で楽曲が流され始めたことになる。
【０４７６】
そしてクライアント端末２は、現在時刻から３０秒前までの番組音声データをバッファから取り出し、算出した時間差に基づいてこの番組音声データの所定位置を楽曲の開始位置としてマークし、この番組音声データを先頭データとして、当該先頭データに続けて現在時刻以降の番組音声データをハードディスクドライブ２１１に記録していくようになされている。
【０４７７】
すなわちクライアント端末２は、ナウオンエア情報の楽曲開始時刻と現在時刻との時間差を算出し、現在時刻よりも当該時間差の分だけ前の時点を番組音声データにおける楽曲の開始位置としてマークして、番組音声をタイムマシン録音するようになされており、これにより楽曲が流され始めた時点を正確に認識して番組音声を録音することができる。
【０４７８】
このようにしてタイムマシン録音を開始した後、クライアント端末２は、次のステップＳＰ１４６に移り、ポーリング間隔経過後、再びナウオンエア情報をラジオ放送情報配信サーバＳＶ３に要求する。
【０４７９】
クライアント端末２からナウオンエア情報を要求されたラジオ放送情報配信サーバＳＶ３は、ステップＳＰ１４７において、ラジオ放送情報データベースの放送中番組テーブルＴＢ１からナウオンエア情報を取得し、これをクライアント端末２に送信する。
【０４８０】
クライアント端末２は、ラジオ放送情報配信サーバＳＶ３から送信されたナウオンエア情報を受信すると、ステップＳＰ１４８において、この受信したナウオンエア情報にキーワード（楽曲タイトル：「世界中にたくさんある花」）に一致する情報が含まれているか否かを判断する。
【０４８１】
ここで肯定結果を得ると、このことは受信したナウオンエア情報にキーワード（楽曲タイトル：「世界中にたくさんある花」）に一致する情報が含まれていることにより現在受信中のラジオ番組でユーザが所望する楽曲が流され続けていることを表しており、このときクライアント端末２は、ステップＳＰ１４６に戻り、ポーリング間隔経過後、再度ナウオンエア情報をラジオ放送情報配信サーバＳＶ３に要求する。
【０４８２】
これに対してこのステップＳＰ１４８で否定結果を得ると、このことは受信したナウオンエア情報にキーワード（楽曲タイトル：「世界中にたくさんある花」）に一致する情報が含まれていないことによりラジオ番組で流されていた所望の楽曲が終了したことを表しており、このときクライアント端末２は、次のステップＳＰ１４９に移る。
【０４８３】
ステップＳＰ１４９においてクライアント端末２は、番組音声のタイムマシン録音を停止し、タイムマシン録音した番組音声の番組音声データをユーザが所望する楽曲のコンテンツデータとして、フォルダ「世界中にたくさんある花」に登録し、次のステップＳＰ１５０に移る。
【０４８４】
ステップＳＰ１５０においてクライアント端末２は、操作入力部２００を介してキーワード録音の停止命令がなされたか否かを判断する。ここで否定結果を得ると、クライアント端末２は、再びステップＳＰ１４２に戻ってキーワード録音処理を継続し、肯定結果を得ると、ステップＳＰ１５１に移って仮録音を停止してキーワード録音処理を終了する。
【０４８５】
以上の構成において、この第３の実施の形態におけるクライアント端末２は、所望の楽曲を示すキーワード及びラジオ局をユーザに指定させ、この指定されたラジオ局で放送中の番組音声を仮録音する。
【０４８６】
さらにクライアント端末２は、指定されたラジオ局に対応するラジオ放送情報配信サーバＳＶ３からナウオンエア情報を受信し、このナウオンエア情報にキーワードに一致する情報が含まれているか否かを判断する。
【０４８７】
ここでこのナウオンエア情報にキーワードに一致する情報が含まれている場合、クライアント端末２は、受信中のラジオ番組で所望の楽曲が流され始めたと認識し、このナウオンエア情報の楽曲開始時刻に基づいて、仮録音した番組音声の番組音声データにおける楽曲の開始位置を特定してタイムマシン録音を開始する。
【０４８８】
さらにクライアント端末２は、ポーリング間隔毎にナウオンエア情報を受信し続け、当該ナウオンエア情報にキーワードに一致する情報が含まれなくなったとき（すなわち所望の楽曲が終了したとき）にタイムマシン録音を停止する。
【０４８９】
これによりクライアント端末２は、放送される番組音声のうちユーザが所望するキーワードに該当する楽曲が放送されているときの番組音声を録音することができる。
【０４９０】
以上の構成によれば、ナウオンエア情報を定期的に取得し、このナウオンエア情報からキーワードが検出されているときに、受信している放送信号を記録するようにしたことにより、ユーザの所望する楽曲が放送されているときの番組音声を録音することができ、かくしてラジオ番組単位で録音するばかりでなく、ラジオ番組の番組音声のうちユーザが所望する部分の番組音声を容易に録音することができる。
【０４９１】
またこの第３の実施の形態におけるクライアント端末２によれば、ナウオンエア情報の楽曲開始時刻に基づいて、番組音声データにおける楽曲の開始位置を特定してマークすることにより、楽曲が流され始めた時点を正確に認識して、当該楽曲が流されているときの番組音声を録音することができる。さらにこの場合、開始位置をマークしただけなので、その位置を後で調整することもできる。
【０４９２】
（４）第４の実施の形態
第４の実施の形態においては、第１、第２及び第３の実施の形態と、システム、クライアント端末及び各種サーバの構成が同じであるため、これらについては説明を省略する。
【０４９３】
ただし、この第４の実施の形態においては、図２９に示すように、ラジオ放送情報サーバＳＶ３の放送中番組テーブルＴＢ１に、楽曲の終了時刻が追加されており、この楽曲終了時刻を含んだナウオンエア情報がクライアント端末２に対して配信されるようになされている。
【０４９４】
そしてクライアント端末２が、ナウオンエア情報に含まれる楽曲の開始時刻及び終了時刻に基づいて、タイムマシン録音の開始時刻及び終了時刻を設定するキーワード録音機能を有しており、以下、このキーワード録音機能におけるキーワード録音処理について説明する。
【０４９５】
図３０に示すように、このキーワード録音処理は、クライアント端末２とラジオ放送情報配信サーバＳＶ３との処理シーケンスでなり、クライアント端末２のＣＰＵ２０３及びラジオ放送情報配信サーバＳＶ３のＣＰＵ２９０によって実行されるものである。
【０４９６】
クライアント端末２は、操作入力部２００を介してキーワード録音の開始命令がなされたことを認識すると、ステップＳＰ１６０において、ユーザに対して所望の楽曲を示すキーワードを入力するよう指示するメッセージをディスプレイ２０６に表示し、これに応じてキーワード（例えば楽曲タイトル：「世界中にたくさんある花」）が入力されたことを認識すると、このキーワード（楽曲タイトル：「世界中にたくさんある花」）をハードディスクドライブ２１１に記録すると共に、当該キーワードに対応するフォルダ「世界中にたくさんある花」をハードディスクドライブ２１１上に生成して、次のステップＳＰ１６１に移る。
【０４９７】
ステップＳＰ１６１においてクライアント端末２は、ユーザに対して所望のラジオ局を指定するよう指示するメッセージをディスプレイ２０６に表示して、ラジオ局を指定させ、この指定されたラジオ局の周波数にチューナ２１３を合わせて当該ラジオ局で放送中の番組音声の仮録音を開始し、次のステップＳＰ１６２に移る。因みに、この仮録音は、上述の第１、第２及び第３の実施の形態と同様の方法で行う。
【０４９８】
ステップＳＰ１６２においてクライアント端末２は、指定されたラジオ局に対応するラジオ放送情報配信サーバＳＶ３に対してナウオンエア情報を要求する。
【０４９９】
クライアント端末２からナウオンエア情報を要求されたラジオ放送情報配信サーバＳＶ３は、ステップＳＰ１６３において、ラジオ放送情報データベースの放送中番組テーブルＴＢ１からナウオンエア情報を取得し、これをクライアント端末２に送信する。
【０５００】
クライアント端末２は、ラジオ放送情報配信サーバＳＶ３から送信されたナウオンエア情報を受信すると、ステップＳＰ１６４において、この受信したナウオンエア情報にキーワード（楽曲タイトル：「世界中にたくさんある花」）に一致する情報が含まれているか否かを判断する。
【０５０１】
ここで否定結果を得ると、このことはこのナウオンエア情報にキーワード（楽曲タイトル：「世界中にたくさんある花」）に一致する情報が含まれていないことにより現在受信中のラジオ番組でユーザが所望する楽曲が流されていないことを表しており、このときクライアント端末２は、ステップＳＰ１６２に戻り、ポーリング間隔経過後、再度ナウオンエア情報をラジオ放送情報配信サーバＳＶ３に要求する。
【０５０２】
これに対してこのステップＳＰ１６４で肯定結果を得ると、このことは受信したナウオンエア情報にキーワード（楽曲タイトル：「世界中にたくさんある花」）に一致する情報が含まれていることにより現在受信中のラジオ番組でユーザが所望する楽曲が流され始めたことを表しており、このときクライアント端末２は、次のステップＳＰ１６５に移る。
【０５０３】
ステップＳＰ１６５においてクライアント端末２は、番組音声のタイムマシン録音を開始して次のステップＳＰ１６６に移る。因みに、ここでのタイムマシン録音の開始は、上述の第３の実施の形態と同様の方法で行う。
【０５０４】
ステップＳＰ１６６においてクライアント端末２は、ポーリング間隔経過後、再びナウオンエア情報をラジオ放送情報配信サーバＳＶ３に要求する。
【０５０５】
クライアント端末２からナウオンエア情報を要求されたラジオ放送情報配信サーバＳＶ３は、ステップＳＰ１６７において、ラジオ放送情報データベースの放送中番組テーブルＴＢ１からナウオンエア情報を取得し、これをクライアント端末２に送信する。
【０５０６】
クライアント端末２は、ラジオ放送情報配信サーバＳＶ３から送信されたナウオンエア情報を受信すると、ステップＳＰ１６８において、この受信したナウオンエア情報にキーワード（楽曲タイトル：「世界中にたくさんある花」）に一致する情報が含まれているか否かを判断する。
【０５０７】
ここで肯定結果を得ると、このことは受信したナウオンエア情報にキーワード（楽曲タイトル：「世界中にたくさんある花」）に一致する情報が含まれていることにより現在受信中のラジオ番組でユーザが所望する楽曲が流され続けていることを表しており、このときクライアント端末２は、ステップＳＰ１６６に戻り、ポーリング間隔経過後、再度ナウオンエア情報をラジオ放送情報配信サーバＳＶ３に要求する。
【０５０８】
これに対してこのステップＳＰ１６８で否定結果を得ると、このことは受信したナウオンエア情報にキーワード（楽曲タイトル：「世界中にたくさんある花」）に一致する情報が含まれていないことによりラジオ番組で流されていた所望の楽曲が終了したことを表しており、このときクライアント端末２は、次のステップＳＰ１６９に移る。
【０５０９】
ステップＳＰ１６９においてクライアント端末２は、番組音声のタイムマシン録音を停止する。
【０５１０】
実際上、このタイムマシン録音の停止時においてクライアント端末２は、キーワードを含むナウオンエア情報の楽曲終了時刻とキーワードを含まないナウオンエア情報を受信したタイミング（すなわち現在時刻）との時間差を算出する。このとき例えば時間差が５秒であるとすれば、現在時刻の５秒前にラジオ番組で流されていた楽曲が終了したことになる。
【０５１１】
そしてクライアント端末２は、この時間差に基づいて、タイムマシン録音した番組音声データの所定位置を楽曲の終了位置としてマークし、タイムマシン録音を停止する。
【０５１２】
すなわちクライアント端末２は、ナウオンエア情報の楽曲終了時刻と現在時刻との時間差を算出し、現在時刻よりも当該時間差の分だけ前の時点を番組音声データにおける楽曲の終了位置としてマークした後、タイムマシン録音を停止するようになされており、これにより楽曲が終了した時点を正確に認識して、当該楽曲が流されていたときの番組音声を録音することができる。
【０５１３】
このようにしてタイムマシン録音を停止した後、クライアント端末２は、タイムマシン録音した番組音声データをユーザが所望する楽曲のコンテンツデータとしてフォルダ「世界中にたくさんある花」に登録し、次のステップＳＰ１７０に移る。
【０５１４】
ステップＳＰ１７０においてクライアント端末２は、操作入力部２０を介してキーワード録音の停止命令がなされたか否かを判断する。ここで否定結果を得ると、クライアント端末２は、再びステップＳＰ１６２に戻ってキーワード録音処理を継続し、肯定結果を得ると、ステップＳＰ１７１に移って仮録音を停止してキーワード録音処理を終了する。
【０５１５】
以上の構成において、この第４の実施の形態におけるクライアント端末２は、所望の楽曲を示すキーワード及びラジオ局をユーザに指定させ、この指定されたラジオ局で放送中の番組音声を仮録音する。
【０５１６】
さらにクライアント端末２は、指定されたラジオ局に対応するラジオ放送情報配信サーバＳＶ３からナウオンエア情報を受信し、このナウオンエア情報にキーワードに一致する情報が含まれているか否かを判断する。
【０５１７】
ここでこのナウオンエア情報にキーワードに一致する情報が含まれている場合、クライアント端末２は、受信中のラジオ番組で所望の楽曲が流され始めたと認識し、このナウオンエア情報の楽曲開始時刻に基づき、仮録音した番組音声の番組音声データにおける楽曲の開始位置を特定してタイムマシン録音を開始する。
【０５１８】
さらにクライアント端末２は、ポーリング間隔毎にナウオンエア情報を受信し続け、当該ナウオンエア情報にキーワードに一致する情報が含まれなくなったとき（すなわち所望の楽曲が終了したとき）、キーワードを含んだナウオンエア情報の楽曲終了時刻に基づいて、タイムマシン録音した番組音声の番組音声データにおける楽曲の終了位置を特定してタイムマシン録音を停止する。
【０５１９】
これによりクライアント端末２は、ユーザが所望する楽曲の放送開始時刻と放送終了時刻とを正確に認識して、当該楽曲が放送されているときの番組音声を録音することができる。
【０５２０】
以上の構成によれば、ナウオンエア情報を定期的に取得し、このナウオンエア情報からキーワードが検出されているときに、受信している放送信号を記録するようにしたことにより、ユーザの所望する楽曲が放送されているときの番組音声を録音することができ、かくしてラジオ番組単位で録音するばかりでなく、ラジオ番組の番組音声のうちユーザが所望する部分の番組音声を容易に録音することができる。
【０５２１】
また、この第４の実施の形態におけるクライアント端末２によれば、ナウオンエア情報の楽曲開始時刻及び終了時刻に基づいて、番組音声データにおける楽曲の開始位置及び終了位置を特定してマークすることにより、楽曲が流され始めた時点及び終了した時点を正確に認識して、当該楽曲が放送されているときの番組音声を録音することができる。さらにこの場合、開始位置及び終了位置をマークしただけなので、その位置を後で調整することもできる。
【０５２２】
（５）他の実施の形態
なお上述の第１乃至第４の実施の形態においては、キーワードとして楽曲タイトルを指定させるようにした場合について述べたが、本発明はこれに限らず、ナウオンエア情報に含まれる番組タイトル、出演者（ＤＪ）、アーティスト、ジャンル等を指定させるようにしてもよく、例えばアーティストをキーワードとして指定させれば、そのアーティストの楽曲が放送されているときの番組音声を録音することができる。これによりユーザの種々の要求に応じたキーワード録音処理を実行することができる。
【０５２３】
また上述の第１乃至第４の実施の形態においては、外部装置としてのラジオ放送情報配信サーバＳＶ３から配信される放送情報としてのナウオンエア情報をもとにキーワード録音処理を実行する場合について述べたが、本発明はこれに限らず、ラジオ局で放送されるラジオ番組の内容を示す放送情報であれば、この他種々の放送情報をもとにキーワード録音処理を実行するようにしてもよい。
【０５２４】
さらに上述の第１乃至第４の実施の形態においては、ラジオ番組の番組音声をキーワード録音するようにした場合について述べたが、本発明はこれに限らず、例えばテレビジョン番組の内容を示す放送情報を配信するサーバから、この放送情報を受信し、当該放送情報とキーワードとをもとにテレビジョン番組の番組映像を録画するようにしてもよい。この場合でも、記録する対象が音声から映像に変わっただけであるので、上述のキーワード録音とほぼ同様の手順で録画できる。これにより番組単位で録画するばかりでなく、テレビジョン番組の番組映像のうちユーザが所望する部分の番組映像を容易に録画することができる。
【０５２５】
さらに上述の第３乃至第４の実施の形態においては、ナウオンエア情報に含まれるコンテンツの放送開始時刻及び放送終了時刻としての楽曲開始時刻及び楽曲終了時刻をもとに、番組音声データにおける楽曲の開始位置や終了位置をマークするようにした場合について述べたが、本発明はこれに限らず、ナウオンエア情報に含まれる楽曲開始時刻や楽曲終了時刻をもとに、番組音声データにおける楽曲の開始位置や終了位置を特定し、その開始位置や終了位置で番組音声データを抽出するようにしてもよい。この場合、抽出された番組音声データ（すなわち楽曲のコンテンツデータ）は、必要最低限の容量ですむ。
【０５２６】
さらに上述の第１乃至第４の実施の形態においては、ラジオ番組で放送されるコンテンツとしての楽曲の放送終了時刻を、ナウオンエア情報を受信した時刻や、ナウオンエア情報に含まれる楽曲終了時刻をもとに特定するようにした場合について述べたが、本発明はこれに限らず、楽曲の放送終了時刻を特定し得る情報であれば、この他種々の情報を利用するようにしてもよい。
【０５２７】
この場合、例えばＣＤアルバムに収録された各楽曲に関する情報（楽曲タイトル、アーティスト、演奏時間等を含む情報であり、以下、これをＣＤ情報と呼ぶ）を配信する所定のサーバから、このＣＤ情報を受信し、当該ＣＤ情報の演奏時間をもとに、ラジオ番組で放送される楽曲の放送終了時刻を特定するようにしてもよいし、クライアント端末２のハードディスクドライブ２１１に予めＣＤ情報を記録しておき、このＣＤ情報から特定するようにしてもよい。
【０５２８】
さらに上述の第１乃至第４の実施の形態においては、クライアント端末２が、ポータルサーバ３にコールサインを送信して、当該ポータルサーバ３から、そのコールサインに対応するラジオ局で放送されるラジオ番組についてのナウオンエア情報及びオンエアリスト情報を配信するラジオ放送情報サーバＳＶ３のアドレスを取得するようにした場合について述べたが、本発明はこれに限らず、例えば、ナウオンエア情報及びオンエアリスト情報を配信するラジオ放送情報サーバＳＶ３のアドレスを配信するサーバを別途設け、当該サーバからコールサインに基づくアドレスを取得するようにしてもよい。
【０５２９】
さらに上述の第１乃至第４の実施の形態においては、放送データとしての番組音声データを仮録音するためのバッファをハードディスクドライブ２１１上に確保した場合について述べたが、本発明はこれに限らず、このバッファをＲＡＭ２０５上に確保するようにしてもよい。この場合、一般的にＲＡＭ２０５の方が、ハードディスクドライブ２１１よりもアクセス速度が速いので、番組音声データの書込や消去を頻繁に行う仮録音に適していると言える。
【０５３０】
さらに上述の第１乃至第４の実施の形態においては、ラジオ番組の番組音声をハードディスクドライブ２１１に録音可能なクライアント端末２にキーワード録音機能を設けた場合について述べたが、本発明はこれに限らず、ラジオ番組を内蔵メモリに録音可能な携帯端末等、この他種々の機器に当該キーワード録音機能を設けるようにしてもよい。
【０５３１】
さらに上述の実施の形態においては、クライアント端末２が受信可能な放送としてラジオ局から放送されるラジオ放送を適用したが、これに限らず、クライアント端末２がインターネットラジオ放送や衛星ラジオ放送を受信して、その関連情報（ラジオ放送情報）を取得するようにしたり、あるいはテレビジョン放送局から放送されるテレビジョン放送を受信し、そのテレビジョン放送のテレビジョン番組に関する各種放送情報等をネットワークＮＴ上のサーバから取得するようにしてもよい。
【０５３２】
さらに上述の実施の形態においては、ハードウェア回路ブロック、機能回路ブロック及びプログラムモジュールをクライアント端末２に実装した場合について述べたが、本発明はこれに限らず、これらを携帯電話機やパーソナルコンピュータ等、クライアント端末２以外の種々の端末に実装するようにしてもよく、これらハードウェア回路ブロック、機能回路ブロック及びプログラムモジュールを実装した端末であれば、上述したクライアント端末２と同様の処理を実現することができる。
【０５３３】
さらに上述の第１乃至第４の実施の形態においては、放送信号受信手段としてのアンテナ２１２及びチューナ２１３や、設定手段としての操作入力部２００及び入力処理部２０１や、記録媒体としてのハードディスクドライブ２１１に対して放送データとしての番組音声データを仮記録（仮録音）又は本記録（本録音）する記録手段、検出手段及び制御手段としてのＣＰＵ２０３や、通信手段及び取得手段としての通信処理部２１４及びネットワークインタフェース２１５によって記録装置及び情報処理装置としてのクライアント端末２を構成するようにした場合について述べたが、本発明はこれに限らず、この他種々の構成でこのクライアント端末２を構成するようにしてもよい。
【産業上の利用可能性】
【０５３４】
本発明は、放送番組を記録する記録装置において広く利用できる。
【図面の簡単な説明】
【０５３５】
【図１】音楽関連サービス提供システムの全体構成を示す略線図である。
【図２】クライアント端末の機能回路ブロックによる構成を示すブロック図である。
【図３】ディレクトリ構成を示す略線図である。
【図４】ポータルサーバの機能回路ブロックによる構成を示すブロック図である。
【図５】音楽データ配信サーバの機能回路ブロックによる構成を示すブロック図である。
【図６】物販サーバの機能回路ブロックによる構成を示すブロック図である。
【図７】ラジオ放送情報配信サーバの機能回路ブロックによる構成を示すブロック図である。
【図８】クライアント端末及びポータルサーバ間のユーザ認証処理手順を示すシーケンスチャートである。
【図９】クライアント端末及び音楽データ配信サーバ間のユーザ認証処理手順を示すシーケンスチャートである。
【図１０】音楽データ配信サービス提供処理手順を示すシーケンスチャートである。
【図１１】物販サービス提供処理手順を示すシーケンスチャートである。
【図１２】ラジオ放送情報（オンエアリスト情報）サービス提供処理手順を示すシーケンスチャートである。
【図１３】ラジオ放送情報（ナウオンエア情報）サービス提供処理手順を示すシーケンスチャートである。
【図１４】クライアント端末のハードウェア回路ブロックによる構成を示すブロック図である。
【図１５】クライアント端末のプログラムモジュールを示す略線図である。
【図１６】ポータルサーバのハードウェア回路ブロックによる構成を示すブロック図である。
【図１７】音楽データ配信サーバのハードウェア回路ブロックによる構成を示すブロック図である。
【図１８】物販サーバのハードウェア回路ブロックによる構成を示すブロック図である。
【図１９】ラジオ放送情報配信サーバのハードウェア回路ブロックによる構成を示すブロック図である。
【図２０】ラジオ放送情報データベースの構成を示す略線図である。
【図２１】放送中番組テーブルにおけるナウオンエア情報の更新を示す略線図である。
【図２２】放送済楽曲テーブルにおけるオンエアリスト情報の更新を示す略線図である。
【図２３】放送済番組テーブルにおけるオンエアリスト情報の更新を示す略線図である。
【図２４】放送済楽曲テーブルと放送済番組テーブルとの関連付けを示す略線図である。
【図２５】第１の実施の形態におけるキーワード録音処理手順を示すシーケンスチャートである。
【図２６】第２の実施の形態におけるキーワード録音処理手順を示すシーケンスチャートである。
【図２７】番組表画面の構成を示す略線図である。
【図２８】第３の実施の形態におけるキーワード録音処理手順を示すシーケンスチャートである。
【図２９】第４の実施の形態における放送中番組テーブルを示す略線図である。
【図３０】第４の実施の形態におけるキーワード録音処理手順を示すシーケンスチャートである。
【符号の説明】
【０５３６】
１……音楽関連サービス提供システム、２……クライアント端末、３……ポータルサーバ、２００……操作入力部、２０１……入力処理部、２０３……ＣＰＵ、２０４……ＲＯＭ、２０５……ＲＡＭ、２１１……ハードディスクドライブ、２１２……アンテナ、２１３……チューナ、２１４……通信処理部、２１５……ネットワークインタフェース、ＮＴ……ネットワーク、ＳＶ３……ラジオ情報配信サーバ。
【図１】
2005332475.tif 000003
【図２】
2005332475.tif 000004
【図３】
2005332475.tif 000005
【図４】
2005332475.tif 000006
【図５】
2005332475.tif 000007
【図６】
2005332475.tif 000008
【図７】
2005332475.tif 000009
【図８】
2005332475.tif 000010
【図９】
2005332475.tif 000011
【図１０】
2005332475.tif 000012
【図１１】
2005332475.tif 000013
【図１２】
2005332475.tif 000014
【図１３】
2005332475.tif 000015
【図１４】
2005332475.tif 000016
【図１５】
2005332475.tif 000017
【図１６】
2005332475.tif 000018
【図１７】
2005332475.tif 000019
【図１８】
2005332475.tif 000020
【図１９】
2005332475.tif 000021
【図２０】
2005332475.tif 000022
【図２１】
2005332475.tif 000023
【図２２】
2005332475.tif 000024
【図２３】
2005332475.tif 000025
【図２４】
2005332475.tif 000026
【図２５】
2005332475.tif 000027
【図２６】
2005332475.tif 000028
【図２７】
2005332475.tif 000029
【図２８】
2005332475.tif 000030
【図２９】
2005332475.tif 000031
【図３０】
2005332475.tif 000032